(57)【要約】【課題】始動入賞に基づく変動が行われる前に予告演出を行う場合において、遊技者の期待感を高めることが可能な遊技機を提供する。【解決手段】遊技機は、例えば３つの保留があるときに４つ目の保留入賞があった場合、当該保留４に対して先読み判定を行う。先読みを行った場合、現在変動中の次の変動である保留１の変動の際に装飾図柄を、青図柄で停止させる。その次の保留２の変動の際には、装飾図柄を青図柄で停止させ、さらにその次の保留３の変動の際には、青図柄より信頼度の高い赤図柄で停止させる。これにより、装飾図柄の停止態様で予告演出を行うとともに、段階的に信頼度を上昇させることで遊技者の期待感を高める。【選択図】図１４
2015077470.tif 000002
【特許請求の範囲】
【請求項１】
始動条件の成立に応じて、特別遊技を行うか否かの特別遊技判定を行う特別遊技判定手段と、
前記始動条件の成立に応じて、前記特別遊技判定の権利を所定数を上限として保留する保留記憶手段と、
前記保留記憶手段に保留された前記特別遊技判定の権利を消化させるとともに、所定の図柄を図柄表示手段に変動表示させてから停止表示させることにより、当該特別遊技判定の結果を表示する図柄表示制御手段と、
前記保留記憶手段に保留された前記特別遊技判定の権利に対して事前判定を行う事前判定手段と、
前記特別遊技判定の結果に基づいて、当該特別遊技判定の結果を報知するための複数の演出図柄を、前記所定の図柄の変動表示が開始されると変動開始させ、前記所定の図柄が停止表示されると、当該複数の演出図柄を停止表示させる演出図柄制御手段と、を備え、
前記演出図柄制御手段は、
前記特別遊技判定によって前記特別遊技を行わないと判定された場合において、前記事前判定の結果に基づいて、前記複数の演出図柄を停止表示させる際に所定の停止パターンで停止表示させることが可能であり、
前記特別遊技判定によって特別遊技を行わないと判定された場合、前記複数の演出図柄を停止表示させる際に、前記特別遊技が行なわれる信頼度が高い前記特別遊技判定の権利が保留されていることを示唆しない通常停止パターンで停止表示させることが可能な第１演出図柄制御手段と、
前記事前判定の対象となった前記特別遊技判定の権利に係る前記所定の図柄の変動の少なくとも２回前の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記通常停止パターンとは異なる第１の特定停止パターンで、前記複数の演出図柄を停止表示させることが可能な第２演出図柄制御手段と、
前記第１の特定停止パターンで停止表示された変動の次以降の前記保留記憶手段に保留された前記特別遊技判定の権利に係る前記所定の図柄の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記第１の特定停止パターンとは異なる第２の特定停止パターンで、前記複数の演出図柄を停止表示させることが可能な第３演出図柄制御手段と、を含み、
前記第２の特定停止パターンで停止表示されたときは、前記事前判定の対象となった前記特別遊技判定の権利が消化された場合に前記特別遊技が行われる信頼度が前記第１の特定停止パターンで停止されたときよりも高い、遊技機。
【請求項２】
前記演出図柄制御手段は、前記事前判定の結果に基づいて、３つの図柄表示領域のうちの少なくとも１つの領域に特定の演出図柄を停止させることにより、前記演出図柄を第３の特定停止パターンで停止表示させ、
前記第３の特定停止パターンで停止表示されたときは、前記第２の特定停止パターンで停止されたときよりも信頼度が高い、請求項１に記載の遊技機。
【発明の詳細な説明】
【技術分野】
【０００１】
本発明は、遊技媒体が始動領域を通過したことに応じて、当たり判定の権利を保留することができる遊技機に関する。
【背景技術】
【０００２】
従来より、遊技球が始動口に入賞したことに応じて当たり判定の権利を保留し、当該保留された権利に対して事前判定を行う遊技機が存在する。例えば、特許文献１に記載の遊技機では、遊技球が始動口に入賞したことに応じて各乱数を取得し、取得した乱数を用いて先読みを行い、大当たりか否か等を判定する。そして、先読み判定の結果に基づいて、先読み予告演出を行う。
【先行技術文献】
【特許文献】
【０００３】
【特許文献１】特開２０１２−７５５２７号公報
【発明の概要】
【発明が解決しようとする課題】
【０００４】
しかしながら、上記特許文献１では、図柄の変動中に所定の演出画像を表示して予告演出を行う遊技機が記載されており、予告演出の多様化、遊技者の期待感の向上という点においては改善の余地があった。
【０００５】
本発明は、かかる問題に鑑みてなされたものであり、始動入賞に基づく変動が行われる前に予告演出を行う場合において、遊技者の期待感を高めることが可能な遊技機を提供することを目的とする。
【課題を解決するための手段】
【０００６】
本発明は、上記の課題を解決するために以下の構成を採用した。
【０００７】
本発明に係る遊技機は、始動条件の成立に応じて、特別遊技を行うか否かの特別遊技判定を行う特別遊技判定手段と、前記始動条件の成立に応じて、前記特別遊技判定の権利を所定数を上限として保留する保留記憶手段と、前記保留記憶手段に保留された前記特別遊技判定の権利を消化させるとともに、所定の図柄を図柄表示手段に変動表示させてから停止表示させることにより、当該特別遊技判定の結果を表示する図柄表示制御手段と、前記保留記憶手段に保留された前記特別遊技判定の権利に対して事前判定を行う事前判定手段と、前記特別遊技判定の結果に基づいて、当該特別遊技判定の結果を報知するための複数の演出図柄を、前記所定の図柄の変動表示が開始されると変動開始させ、前記所定の図柄が停止表示されると、当該複数の演出図柄を停止表示させる演出図柄制御手段と、を備え、前記演出図柄制御手段は、前記特別遊技判定によって前記特別遊技を行わないと判定された場合において、前記事前判定の結果に基づいて、前記複数の演出図柄を停止表示させる際に所定の停止パターンで停止表示させることが可能であり、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆しない通常停止パターンで停止表示させることが可能な第１演出図柄制御手段と、前記事前判定の対象となった前記特別遊技判定の権利に係る前記所定の図柄の変動の少なくとも２回前の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記通常停止パターンとは異なる第１の特定停止パターンで、前記複数の演出図柄を停止表示させることが可能な第２演出図柄制御手段と、前記第１の特定停止パターンで停止表示された変動の次以降の前記保留記憶手段に保留された前記特別遊技判定の権利に係る前記所定の図柄の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記第１の特定停止パターンとは異なる第２の特定停止パターンで、前記複数の演出図柄を停止表示させることが可能な第３演出図柄制御手段と、を含み、前記第２の特定停止パターンで停止表示されたときは、前記事前判定の対象となった前記特別遊技判定の権利が消化された場合に前記特別遊技が行われる信頼度が前記第１の特定停止パターンで停止されたときよりも高い。
【０００８】
また、他の構成では、前記演出図柄制御手段は、前記所定の図柄が停止された場合、前記事前判定の結果に基づいて、３つの図柄表示領域のうちの少なくとも１つの領域に特定の演出図柄を停止させることにより、前記演出図柄を停止表示させ、前記特定の演出図柄は、前記事前判定の対象となった前記当たり判定の権利が消化されて当たりとなる信頼度が最も高くてもよい。
【発明の効果】
【０００９】
この発明によれば、遊技者の期待感をより高める先読み予告演出を行うことができる。
【図面の簡単な説明】
【００１０】
【図１】パチンコ遊技機１の概略正面図
【図２】図１における表示器４の拡大図
【図３】特定領域９の内部構造を示す概略斜視図
【図４】大当たりと遊技状態について説明するための説明図
【図５】パチンコ遊技機１の構成を示すブロック図
【図６】本実施形態に係るパチンコ遊技機１の動作概要を示す図
【図７】本実施形態の遊技機１において用いられる装飾図柄の種類を示す図
【図８】特別図柄の変動中に遊技球が第１始動口１１に入賞したことによって保留された特別図柄判定の権利に対して先読みが行われ、先読み予告演出が行われる場合のメイン液晶表示装置５に表示される画像の一例を示す図
【図９】先読み予告演出が行われる場合において、１回目の特別図柄の変動が開始して終了する場合のメイン液晶表示装置５に表示される画像の一例を示す図
【図１０】先読み予告演出が行われる場合において、２回目の特別図柄の変動が開始して終了する場合のメイン液晶表示装置５に表示される画像の一例を示す図
【図１１】先読み予告演出が行われる場合において、３回目の特別図柄の変動が開始して終了する場合のメイン液晶表示装置５に表示される画像の一例を示す図
【図１２】先読み予告演出が行われる場合において、先読み対象の特別図柄の変動が開始して終了する場合のメイン液晶表示装置５に表示される画像の一例を示す図
【図１３】各図柄に応じた信頼度を示す図
【図１４】先読み予告演出が行われる場合において、複数変動にわたる装飾図柄の停止パターンの一例を示す図
【図１５】先読み予告演出が行われる場合において、複数変動にわたる装飾図柄の停止パターンの一例を示す図
【図１６】図１５に示す演出が行われた場合のメイン液晶表示装置５に表示される画像の一例を示す図
【図１７】保留０の変動中において、当該変動を含めた先読み予告演出が行われる場合の装飾図柄の停止パターンの一例を示す図
【図１８】遊技制御基板１００において実行されるタイマ割込み処理の一例を示すフローチャート
【図１９】図１８のステップＳ２におけるスイッチ処理の詳細フローチャート
【図２０】図１９のステップＳ２１における第１始動口スイッチ処理の詳細フローチャート
【図２１】図１９のステップＳ２２における第２始動口スイッチ処理の詳細フローチャート
【図２２】図１９のステップＳ２３におけるゲートスイッチ処理の詳細フローチャート
【図２３】図１８のステップＳ３における特別図柄処理の詳細フローチャート
【図２４】図２３のステップＳ３０７における大当たり判定処理の詳細フローチャート
【図２５】図２３のステップＳ３１９における停止中処理の詳細フローチャート
【図２６】図１８のステップＳ４における普通図柄処理の詳細フローチャート
【図２７】図１８のステップＳ５における電動チューリップ処理の詳細フローチャート
【図２８】図１８のステップＳ６における特定領域開放制御処理の詳細フローチャート
【図２９】図１８のステップＳ６における特定領域開放制御処理の詳細フローチャート
【図３０】図１８のステップＳ７における大入賞口開放制御処理の詳細フローチャート
【図３１】図３０のステップＳ７２における長当たり遊技制御処理の詳細フローチャート
【図３２】図３１のステップＳ７４５における遊技状態設定処理の詳細フローチャート
【図３３】演出制御基板１３０において実行されるタイマ割込み処理の一例を示すフローチャート
【図３４】図３３のステップＳ１０におけるコマンド処理の詳細フローチャート
【図３５】図３４のステップＳ１３０４の先読み予告演出判定処理の詳細フローチャート
【図３６】図３４のステップＳ１３０９の変動演出決定処理の詳細フローチャート
【図３７】先読み予告演出の装飾図柄の停止態様を決定するために用いられるテーブルの一例であり、２回の変動において先読み予告演出が行われる際に用いられるテーブル
【図３８】先読み予告演出の装飾図柄の停止態様を決定するために用いられるテーブルの一例であり、３回の変動において先読み予告演出が行われる際に用いられるテーブル
【発明を実施するための形態】
【００１１】
以下、適宜図面を参照しつつ、本発明の遊技機の一実施形態に係るパチンコ遊技機１について説明する。
【００１２】
［パチンコ遊技機１の概略構成例］
まず、図１を参照しつつ、パチンコ遊技機１の概略構成について説明する。ここで、図１は、パチンコ遊技機１の概略正面図である。パチンコ遊技機１は、本実施形態では、１種２種混合タイプと呼ばれるパチンコ遊技機である。図１に示されるように、パチンコ遊技機１は、入賞や判定に関する役物等が設けられた遊技盤２と、遊技盤２を囲む枠部材３とを備えている。枠部材３は、遊技盤２と所定の間隔を隔てて平行配置された透明なガラス板を支持しており、このガラス板と遊技盤２とによって、遊技球が流下可能な遊技領域１０が形成されている。
【００１３】
遊技者がハンドル２０を握ってレバー２１を時計方向に回転させると、皿２８に溜められた遊技球が発射装置（不図示）へと案内され、ハンドル２０の回転角度に応じた打球力で遊技領域１０へと発射される。この遊技領域１０には、不図示の遊技クギや風車等が設けられており、発射された遊技球は、遊技領域１０における上部位置へと案内され、遊技クギや風車等に接触することでその移動方向を変化させながら遊技盤２に沿って落下する。なお、遊技球の発射は、遊技者が停止ボタン２２を操作することによって一時的に停止される。
【００１４】
また、皿２８と近接配置された取り出しボタン２３を遊技者が操作すると、皿２８の下面の一部が開口されて、皿２８に溜まった遊技球が皿２８の下方に配置された不図示の箱に落下する。なお、皿２８は、発射装置へ供給される遊技球及び賞球を溜める上皿と、賞球を溜める下皿との２つの皿によって構成されてもよい。
【００１５】
遊技者がハンドル２０を小さい回転角で回転させた状態を維持するいわゆる「左打ち」を行うと、遊技球が相対的に弱い打球力で打ち出される。この場合、遊技球は、矢印３１に例示されるように遊技領域１０における左側領域を流下する。一方、遊技者がハンドル２０を大きい回転角で回転させた状態を維持するいわゆる「右打ち」を行うと、遊技球が相対的に強い打球力で打ち出される。この場合、遊技球は、矢印３２に例示されるように遊技領域１０における右側領域を流下する。
【００１６】
左打ちされた遊技球の通過経路には、入賞や判定に関する役物として、第１始動口１１、第２始動口１２、２つの普通入賞口１４、及び電動チューリップ１７が設けられている。また、右打ちされた遊技球の通過経路には、入賞や判定に関する役物として、上記第２始動口１２、大入賞口１３、２つの普通入賞口１４、ゲート１６、上記電動チューリップ１７、特定入賞口１９、及び羽根部材９０が設けられている。
【００１７】
遊技領域１０に打ち出された遊技球は、遊技盤２に沿って流下する過程で、第１始動口１１、第２始動口１２、大入賞口１３、及び普通入賞口１４のいずれかに入球して入賞する。これにより、入賞した箇所に応じた所定数の賞球が皿２８に払い出される。なお、入賞しなかった遊技球は、排出口１８を介して遊技領域１０から排出される。
【００１８】
第１の入賞領域としての第１始動口１１は、常時開放されている始動口であり、第２の入賞領域としての第２始動口１２は、普通電動役物としての電動チューリップ１７が作動しているときだけ開放される始動口である。パチンコ遊技機１では、遊技球が第１始動口１１を通過して入賞した場合、又は遊技球が第２始動口１２を通過して入賞した場合、遊技者にとって有利な特別遊技（大当たり遊技）を実行するか否かが判定され、その判定結果が後述する表示器４に表示される。
【００１９】
なお、以下の説明では、第１始動口１１への遊技球の入賞を条件として実行される判定（当たり判定）を「第１特別図柄判定」と呼び、第２始動口１２への遊技球の入賞を条件として実行される判定を「第２特別図柄判定」と呼び、これらの判定を総称して「特別図柄判定（抽選）」と呼ぶものとする。
【００２０】
大入賞口１３は、特別図柄判定の結果に応じて開放される。この大入賞口１３の開口部には、大入賞口１３を開閉するプレートが設けられている。大入賞口１３は、通常はこのプレートによって閉塞されている。これに対して、特別図柄判定の結果が大当たりであることを示す所定の大当たり図柄が表示器４に停止表示された場合、すなわち１種大当たりが発生した場合、上記プレートを作動させて大入賞口１３を開放する特別遊技が実行される。このため、遊技者は、特別遊技中に右打ちを行うことで、特別遊技が行われていないときに比べてより多くの賞球を得ることができる。なお、第２特別図柄判定の結果が小当たりであることを示す所定の小当たり図柄が表示器４に停止表示されると、後述する羽根部材９０を作動させて特定入賞口１９を開放する小当たり遊技が実行される。この小当たり遊技中には、Ｖ入賞口９２（図３参照）が一時的に開放され、この間にＶ入賞口９２に遊技球が入賞することで２種大当たりが発生する。大入賞口１３は、このように２種大当たりが発生した場合にも開放される。
【００２１】
電動チューリップ１７は、第２始動口１２に近接配置されており、一対の羽根部材を有している。この電動チューリップ１７は、一対の羽根部材が第２始動口１２を閉塞する閉姿勢（図１参照）と、第２始動口１２を開放する開姿勢（不図示）とに姿勢変化可能に構成されている。
【００２２】
第２始動口１２は、図１に示されるように、通常は電動チューリップ１７によって閉塞されている。これに対して、遊技球がゲート１６を通過すると、賞球の払い出しは行われないものの、第２始動口１２を開放するか否かが判定される。ここで、第２始動口１２を開放すると判定された場合、電動チューリップ１７の一対の羽根部材が規定時間開姿勢を維持した後に閉姿勢に戻る動作が規定回数行われる。このように、第２始動口１２は、電動チューリップ１７が作動していないときには遊技球が入賞し難い状態であるのに対して、電動チューリップ１７が作動することによって遊技球が入賞し易い状態となる。なお、以下の説明では、ゲート１６への遊技球の入賞を条件として実行される判定を「普通図柄判定」と呼ぶものとする。
【００２３】
普通入賞口１４は、第１始動口１１と同様に常時開放されており、遊技球の入賞によって所定個数の賞球が払い出される入賞口である。なお、第１始動口１１等とは異なり、普通入賞口１４に遊技球が入賞しても判定が行われることはない。
【００２４】
後述するメイン液晶表示装置５の前面側には、特別図柄判定の結果に応じて一時的に開放される特定領域９が設けられている。この特定領域９については、図３に基づいて後に詳述する。
【００２５】
［表示器４の構成例］
図２は、図１における表示器４の拡大図である。表示器４は、主に特別図柄判定や普通図柄判定に関する情報を表示するものであり、図２に示されるように、第１特別図柄表示器４１、第２特別図柄表示器４２、第１特別図柄保留表示器４３、普通図柄表示器４５、普通図柄保留表示器４６、及び遊技状態表示器４７を有して構成されている。
【００２６】
第１特別図柄表示器４１は、第１特別図柄判定が行われると、図柄（第１特別図柄）を変動表示してから第１特別図柄判定の判定結果を示す判定図柄を停止表示することによって第１特別図柄判定の判定結果を報知する。この第１特別図柄表示器４１には、第１特別図柄判定の結果が大当たり（１種大当たり）であることを示す大当たり図柄、又は第１特別図柄判定の結果がハズレであることを示すハズレ図柄が停止表示される。
【００２７】
第２特別図柄表示器４２は、第２特別図柄判定が行われると、図柄（第２特別図柄）を変動表示してから第２特別図柄判定の判定結果を示す判定図柄を停止表示することによって第２特別図柄判定の判定結果を報知する。この第２特別図柄表示器４２には、第２特別図柄判定の結果が大当たり（１種大当たり）であることを示す大当たり図柄、第２特別図柄判定の結果が小当たりであることを示す小当たり図柄、又は第２特別図柄判定の結果がハズレであることを示すハズレ図柄が停止表示される。
【００２８】
ところで、特別図柄判定に係る図柄の変動表示中や特別遊技中に第１始動口１１に新たに遊技球が入賞した場合、この入賞を契機とする第１特別図柄判定及び図柄の変動表示を即座に実行することができない。そこで、本実施形態におけるパチンコ遊技機１は、第１始動口１１に遊技球が入賞しても即座に第１特別図柄判定を実行できない場合に、第１特別図柄判定の権利が保留されるように構成されている。第１特別図柄保留表示器４３は、このようにして保留された第１特別図柄判定の保留数を表示する。
【００２９】
なお、パチンコ遊技機１では、第２始動口１２に遊技球が入賞しても第２特別図柄判定及び図柄の変動表示を即座に実行できない場合、すなわち特別図柄判定に係る図柄の変動表示中や特別遊技中に第２始動口１２に新たに遊技球が入賞した場合には、第２特別図柄判定は実行されず、また、第２特別図柄判定の権利が保留されることもない。このため、表示器４には、第２特別図柄判定の保留数を表示する表示器は設けられていない。
【００３０】
普通図柄表示器４５は、普通図柄判定が行われると、図柄（普通図柄）を変動表示してから普通図柄判定の判定結果を示す判定図柄を停止表示することによって普通図柄判定の判定結果を報知する。なお、例えば普通図柄表示器４５における図柄の変動表示中など、遊技球がゲート１６を通過しても普通図柄判定及び普通図柄判定に係る図柄の変動表示を即座に実行できない場合には、普通図柄判定の権利が保留される。普通図柄保留表示器４６は、このようして保留された普通図柄判定の保留数を表示する。遊技状態表示器４７は、パチンコ遊技機１の電源投入時点における遊技状態を表示する。パチンコ遊技機１の遊技状態については、図４に基づいて後に詳述する。
【００３１】
なお、以下の説明では、第１特別図柄表示器４１又は第２特別図柄表示器４２に表示される図柄を「特別図柄」と呼び、普通図柄表示器４５に表示される図柄を「普通図柄」と呼ぶものとする。
【００３２】
［特定領域９の構成例］
図３は、特定領域９の内部構造を示す模式図である。図３における鉛直方向３４及び幅方向３５は、図１における鉛直方向３４及び幅方向３５と対応しており、それぞれ、パチンコ遊技機１の鉛直方向と幅方向を示している。特定領域９は、小当たりが発生することによって遊技球が進入可能に開放される領域であり、その入口である特定入賞口１９には、特定入賞口１９を開閉する羽根部材９０が設けられている。
【００３３】
本実施形態におけるパチンコ遊技機１では、第１特別図柄表示器４１又は第２特別図柄表示器４２に特別図柄判定の結果が「大当たり」であることを示す大当たり図柄が判定図柄として停止表示されると、１種大当たりとなって第１特別遊技が実行される。
【００３４】
なお、本実施形態では、第１特別遊技として、長当たり遊技と短当たり遊技の２種類の特別遊技が設けられている。ここで、長当たり遊技は、所定条件（例えば大入賞口１３への９個の遊技球の入賞、又は大入賞口１３が開放されてから２９秒が経過）を満たすまで大入賞口１３を開放した状態を維持した後に大入賞口１３を閉塞する長開放ラウンド遊技を規定回数実行するものである。本実施形態では、１種大当たりに対する長当たり遊技として、長開放ラウンド遊技が４回実行される４Ｒ長当たり遊技と、長開放ラウンド遊技が７回実行される７Ｒ長当たり遊技との２種類の長当たり遊技が設けられている。一方の短当たり遊技は、大入賞口１３を開放してから所定時間（例えば０．２秒）が経過するまで大入賞口１３を開放した状態を維持した後に大入賞口１３を閉塞する短開放ラウンド遊技を規定回数（例えば１５回）実行する１５Ｒ短当たり遊技である。
【００３５】
これに対して、第２特別図柄表示器４２に第２特別図柄判定の結果が「小当たり」であることを示す小当たり図柄が判定図柄として停止表示されると、羽根部材９０を作動させて特定領域９を開放する小当たり遊技が実行される。この小当たり遊技では、特定領域９を開放してから所定時間（例えば３．２秒）が経過するまで特定領域９を開放した状態を維持した後に特定領域９を閉塞する羽根部材９０の動作が規定回数（例えば１回）実行される。このように、小当たりが発生することで、特定領域９への遊技球の進入が可能になる。
【００３６】
図３に示されるように、特定領域９には、案内部材９１、Ｖ入賞口９２、ハズレ入賞口９３、及びスライド部材９４が設けられている。案内部材９１は、特定入賞口１９から特定領域９に進入した遊技球をＶ入賞口９２又はハズレ入賞口９３へと案内するものである。Ｖ入賞口９２又はハズレ入賞口９３に遊技球が入賞した場合、所定数の賞球が払い出される。ハズレ入賞口９３が常時開放されているのに対して、Ｖ入賞口９２は、通常はスライド部材９４によって閉塞されており、特定入賞口１９が開放された後の所定期間だけ開放される。具体的には、本実施形態では、特定入賞口１９が開放されてから例えば０．５秒後にスライド部材９４がスライドしてＶ入賞口９２が開放され、Ｖ入賞口９２の開放から０．２秒が経過するとスライド部材９４が図３に示される元の位置に戻ってＶ入賞口９２が閉塞される。
【００３７】
そして、このＶ入賞口９２の開放期間にＶ入賞口９２に遊技球が入賞（Ｖ入賞）することで、２種大当たりが発生し、既に行われた小当たり遊技を含む第２特別遊技が実行される。すなわち、２種大当たりが発生した場合、小当たり遊技に続いて長当たり遊技が実行される。具体的には、特定領域９を３．２秒間だけ開放する小当たり遊技に続いて、大入賞口１３を長開放する３回の長開放ラウンド遊技からなる長当たり遊技、又は大入賞口１３を長開放する１４回の長開放ラウンド遊技からなる長当たり遊技が実行される。すなわち、１回の小当たり遊技と３回の長開放ラウンド遊技とを含む計４Ｒの特別遊技、又は１回の小当たり遊技と１４回の長開放ラウンド遊技とを含む計１５Ｒの特別遊技が実行される。
【００３８】
このように、１種大当たりによる特別遊技では大入賞口１３のみを開放するラウンド遊技から構成される第１特別遊技が実行されるのに対して、２種大当たりによる特別遊技では特定領域９を開放する小当たり遊技と大入賞口１３を開放するラウンド遊技とから構成される第２特別遊技が実行される。なお、Ｖ入賞口９２の開放期間中に遊技球がＶ入賞口９２に入賞しなかった場合、小当たり遊技に続いて大入賞口１３が開放されることはないため、第２特別遊技は小当たり遊技のみの１Ｒで終了することになる。
【００３９】
なお、本実施形態では、Ｖ入賞口９２がスライド部材９４によって開閉される場合について説明するが、パチンコ遊技機１の奥行方向を軸方向として回動する羽根部材によってＶ入賞口９２を開閉するようにしてもよい。また、１回の小当たり遊技中の羽根部材９０の動作パターン（特定入賞口１９を開放する時間及び回数）等も適宜変更可能である。
【００４０】
［遊技状態の変化の説明］
次に、図４を参照しつつ、パチンコ遊技機１の遊技状態について説明する。ここで、図４は、大当たりと遊技状態について説明するための説明図である。図４に示されるように、本実施形態におけるパチンコ遊技機１は、「通常遊技状態」又は「時短遊技状態」にて遊技が制御される。
【００４１】
「通常遊技状態」は、いわゆる電チューサポート機能（「電サポ」ということがある）が付与されない通常の遊技状態である。「通常遊技状態」は、具体的には、普通図柄判定において第２始動口１２を開放すると判定される割合が相対的に低い割合（例えば１／１２）に設定され、普通図柄の変動時間が相対的に長い時間（例えば２５秒）に設定され、且つ第２始動口１２を開放すると判定された場合の第２始動口１２の開放時間が相対的に短い時間（例えば０．１秒×１回）に設定される遊技状態である。このため、通常遊技状態では、第２始動口１２が開放されても、第２始動口１２に遊技球が入賞する確率は極めて低くなる。
【００４２】
「時短遊技状態」は、電チューサポート機能が付与される遊技状態である。「時短遊技状態」は、具体的には、普通図柄判定において第２始動口１２を開放すると判定される割合が相対的に高い割合（例えば１２／１２）に設定され、普通図柄の変動時間が相対的に短い時間（例えば２秒）に設定され、且つ第２始動口１２を開放すると判定された場合の第２始動口１２の開放時間が相対的に長い時間（例えば０．３秒×５回）に設定される遊技状態である。すなわち、「時短遊技状態」は、通常遊技状態に比べて、第２始動口１２が開放状態に制御され易い遊技状態であり、第２始動口１２に遊技球が入賞し易い状態である。
【００４３】
遊技盤２の盤面構成上、遊技領域１０の左側領域に打ち出された遊技球は第１始動口１１に入賞可能であるのに対して、遊技領域１０の右側領域に打ち出された遊技球が第１始動口１１に入賞することはない。また、「通常遊技状態」のときには第２始動口１２は開放状態になり難い。このため、「通常遊技状態」のときに右打ちを行うメリットはない。このように、「通常遊技状態」は、遊技球を遊技領域１０の左側領域に打ち出した方が右側領域に打ち出すよりも大当たりを引き当てやすい左側有利状態であるため、遊技者は、メイン液晶表示装置５に表示されるメッセージやスピーカ２４から出力される音声ガイダンスに従って左打ちを行うことになる。
【００４４】
「通常遊技状態」のときに遊技者が左打ちを行って遊技領域１０の左側領域に打ち出された遊技球が第１始動口１１に入賞すると、第１特別図柄判定が行われ、第１特別図柄表示器４１に特別図柄が変動表示された後にその第１特別図柄判定の結果を示す判定図柄が停止表示される。ここで、第１特別図柄判定によって１種大当たりと判定された場合には第１特別図柄表示器４１にその旨を示す大当たり図柄が停止表示され、大入賞口１３を開放する第１特別遊技が実行される。そして、この第１特別遊技開始時に第１特別図柄表示器４１に停止表示されていた大当たり図柄の種類に応じて、第１特別遊技が終了した後に、遊技状態が設定される。本実施形態では、図４に例示されるように、第１特別遊技終了後に５０％の割合で「通常遊技状態」が継続される一方で、残りの５０％については「通常遊技状態」から「時短遊技状態」へと遊技状態が変化する。
【００４５】
本実施形態では、第１特別遊技終了後に通常遊技状態にて遊技が制御されることになる時短無し当たりとして、図４に例示されるように、７回の長開放ラウンド遊技が行われた後に通常遊技状態となる時短無し７Ｒ当たりが設けられており、１種大当たりの５０％がこの時短無し７Ｒ当たりとなる。また、第１特別遊技終了後に時短遊技状態にて遊技が制御されることになる時短付き当たりとして、４回の長開放ラウンド遊技が行われた後に時短遊技状態となる時短付き４Ｒ当たり、１５回の短開放ラウンド遊技が行われた後に時短遊技状態となる突然時短当たりの２種類が設けられており、１種大当たりの５０％がこれら２種類の時短付き当たりのいずれかとなる。
【００４６】
遊技状態が「時短遊技状態」に移行すると、「通常遊技状態」のときに比べて第２始動口１２が開放状態になり易くなる。その上、第２始動口１２に遊技球が入賞することを条件として実行される第２特別図柄判定の結果の大半が小当たりとなるため、２種大当たりが発生し易い。このように、「時短遊技状態」は、遊技球を遊技領域１０の右側領域に打ち出した方が左側領域に打ち出すよりも大当たりを引き当てやすい右側有利状態であるため、遊技者は、メイン液晶表示装置５に表示されるメッセージやスピーカ２４から出力される音声ガイダンスに従って右打ちを行うことになる。
【００４７】
「時短遊技状態」のときに遊技者が右打ちを行って遊技領域１０の右側領域に打ち出された遊技球がゲート１６を通過すると、普通図柄判定が行われる。「時短遊技状態」のときに普通図柄判定が行われて第２始動口１２を開放すると判定された場合、第２始動口１２の開放時間が「通常遊技状態」のときに比べて長いので、遊技領域１０の右側領域に打ち出された遊技球は、第２始動口１２に容易に入賞する。
【００４８】
「時短遊技状態」において、特別図柄が変動表示されておらず、且つ特別遊技中でないときに第２始動口１２に遊技球が入賞すると、第２特別図柄判定が行われ、第２特別図柄表示器４２に特別図柄が変動表示された後にその第２特別図柄判定の結果を示す判定図柄が停止表示される。ここで、第２特別図柄判定によって小当たりと判定された場合には第２特別図柄表示器４２にその旨を示す小当たり図柄が停止表示され、特定領域９及びＶ入賞口９２を一時的に開放する小当たり遊技が実行され、この小当たり遊技中に遊技球がＶ入賞口９２に入賞することで２種大当たりとなって、当該小当たり遊技を含む第２特別遊技が実行される。そして、この小当たり遊技のときに第２特別図柄表示器４２に停止表示されていた小当たり図柄の種類に応じて、第２特別遊技が終了した後に、遊技状態が設定される。本実施形態では、図４に例示されるように、第２特別遊技終了後に７０％の割合で「時短遊技状態」が継続される一方で、残りの３０％については「時短遊技状態」から「通常遊技状態」に戻されることになる。
【００４９】
本実施形態では、第２特別遊技終了後に通常遊技状態にて遊技が制御されることになる時短無し当たりとして、図４に例示されるように、１回の小当たり遊技と３回の長開放ラウンド遊技とが行われた後に通常遊技状態となる時短無し４Ｒ当たりが設けられており、２種大当たりの３０％がこの時短無し４Ｒ当たりとなる。また、第２特別遊技終了後に時短遊技状態にて遊技が制御されることになる時短付き当たりとして、１回の小当たり遊技と１４回の長開放ラウンド遊技とが行われた後に時短遊技状態となる時短付き１５Ｒ当たり、１回の小当たり遊技と３回の長開放ラウンド遊技とが行われた後に時短遊技状態となる時短付き４Ｒ当たりの２種類が設けられており、２種大当たりの７０％がこれら２種類の時短付き当たりのいずれかとなる。
【００５０】
なお、詳細な説明は省略するが、「時短遊技状態」において１００回の第２特別図柄判定（又は第１特別図柄判定）が行われても大当たりが発生しなかった場合にも、遊技状態が「時短遊技状態」から「通常遊技状態」に戻されることになる。
【００５１】
［パチンコ遊技機１の演出手段の構成例］
図１に示されるように、遊技盤２又は枠部材３には、各種の演出を行うものとして、メイン液晶表示装置５、サブ液晶表示装置６、ロゴ役物７、スピーカ２４、及び枠ランプ２５が設けられている。
【００５２】
メイン液晶表示装置５は、演出画像を表示する画像表示装置であり、遊技者によって視認され易い位置に設けられている。メイン液晶表示装置５には、例えば、特別図柄判定の結果を報知する装飾図柄、予告演出などを行うキャラクタやアイテム、第１特別図柄判定が保留されていることを示す保留表示画像（保留アイコン）等の各種表示オブジェクトを含む演出画像が表示される。
【００５３】
サブ液晶表示装置６は、演出画像を表示する画像表示装置であり、メイン液晶表示装置５の上方に設けられている。サブ液晶表示装置６は、遊技盤２に対して可動に構成されており、例えば、鉛直方向に動作可能である。サブ液晶表示装置６としては、メイン液晶表示装置５に比べて表示画面が小さいものが用いられ、主に、メイン液晶表示装置５で行われる演出に対する予告演出に使用される。
【００５４】
なお、本実施形態では、メイン液晶表示装置５及びサブ液晶表示装置６が共に液晶表示装置によって構成されている場合について説明するが、これらの両方又はどちらか一方が例えばＥＬ表示装置等の他の画像表示装置によって構成されてもよい。
【００５５】
ロゴ役物７は、サブ液晶表示装置６に対して可動に構成されており、所定の演出を行うことが可能である。
【００５６】
スピーカ２４は、メイン液晶表示装置５又はサブ液晶表示装置６で行われる表示演出と同期するように楽曲や音声、効果音等を出力して音による演出を行う。枠ランプ２５は、発光色や発光パターン、光の放射方向を変化させることによって光による演出を行う。
【００５７】
［パチンコ遊技機１の操作手段の構成例］
枠部材３には、遊技者が操作する操作手段として、演出ボタン２６及び演出キー２７が設けられている。演出ボタン２６は、遊技者が押下することによって操作情報を入力するための押ボタンである。演出キー２７は、上下左右のいずれかの方向を指示するためのいわゆる十字キーである。パチンコ遊技機１では、演出ボタン２６又は演出キー２７から入力された操作情報に応じた演出が行われる場合がある。
【００５８】
［パチンコ遊技機１の制御装置の構成］
遊技盤２の裏面側には、賞球として払い出される遊技球を溜めておく球タンクの他に、パチンコ遊技機１の動作を制御する制御装置が設けられている。図５は、パチンコ遊技機１の構成を示すブロック図である。図５に示されるように、パチンコ遊技機１の制御装置は、上記特別図柄判定や特別遊技の制御、演出制御基板１３０へのコマンド送信処理等を制御する遊技制御基板１００、遊技制御基板１００から受信したコマンドに基づいて演出を統括的に制御する演出制御基板１３０、画像や音による演出を制御する画像音響制御基板１４０、各種のランプやロゴ役物７による演出を制御するランプ制御基板１５０等から構成されている。本実施形態では、遊技制御基板１００が遊技の進行を制御する遊技制御部として機能し、演出制御基板１３０、画像音響制御基板１４０、及びランプ制御基板１５０が演出を制御する演出制御部として機能する。
【００５９】
［遊技制御基板１００の構成］
遊技制御基板１００は、メインＣＰＵ１０１、メインＲＯＭ１０２、及びメインＲＡＭ１０３を備えている。メインＣＰＵ１０１は、メインＲＯＭ１０２に記憶されたプログラム等に基づいて、上記特別図柄判定や払い出し賞球数に関連する各種の演算処理を行う。メインＲＡＭ１０３は、メインＣＰＵ１０１が上記プログラムを実行する際に用いる各種データを一時的に記憶する記憶領域又はデータ処理などの作業領域として使用される。
【００６０】
遊技制御基板１００には、第１始動口スイッチ１１１、第２始動口スイッチ１１２、電動チューリップ開閉部１１３、ゲートスイッチ１１４、大入賞口スイッチ１１５、大入賞口制御部１１６、普通入賞口スイッチ１１７、特定入賞口スイッチ１１８、特定領域開閉部１１９、Ｖ入賞口スイッチ１２０、ハズレ入賞口スイッチ１２１、Ｖ入賞口開閉部１２２、及び表示器４を構成する各表示器４１〜４３，４５〜４７が接続されている。
【００６１】
第１始動口スイッチ１１１は、第１始動口１１に遊技球が入賞したことを検知して、その検知信号を遊技制御基板１００に出力する。第２始動口スイッチ１１２は、第２始動口１２に遊技球が入賞したことを検知して、その検知信号を遊技制御基板１００に出力する。電動チューリップ開閉部１１３は、遊技制御基板１００からの制御信号に応じて、電動チューリップ１７の一対の羽根部材に駆動伝達可能に連結された電動ソレノイドを作動させることによって、第２始動口１２を開閉する。ゲートスイッチ１１４は、遊技球がゲート１６を通過したことを検知して、その検知信号を遊技制御基板１００に出力する。大入賞口スイッチ１１５は、大入賞口１３に遊技球が入賞したことを検知して、その検知信号を遊技制御基板１００に出力する。大入賞口制御部１１６は、遊技制御基板１００からの制御信号に応じて、大入賞口１３を閉塞するプレートに駆動伝達可能に連結された電動ソレノイドを作動させることによって、大入賞口１３を開閉する。普通入賞口スイッチ１１７は、遊技球が普通入賞口１４に入賞したことを検知して、その検知信号を遊技制御基板１００に出力する。
【００６２】
特定入賞口スイッチ１１８は、遊技球が特定入賞口１９に入賞したことを検知して、その検知信号を遊技制御基板１００に出力する。特定領域開閉部１１９は、遊技制御基板１００からの制御信号に応じて、羽根部材９０に駆動伝達可能に連結された電動ソレノイドを作動させることによって、特定入賞口１９を開閉する。Ｖ入賞口スイッチ１２０は、遊技球がＶ入賞口９２に入賞したことを検知して、その検知信号を遊技制御基板１００に出力する。ハズレ入賞口スイッチ１２１は、遊技球がハズレ入賞口９３に入賞したことを検知して、その検知信号を遊技制御基板１００に出力する。Ｖ入賞口開閉部１２２は、スライド部材９４に駆動伝達可能に連結された電動ソレノイドを作動させることによって、Ｖ入賞口９２を開閉する。
【００６３】
遊技制御基板１００のメインＣＰＵ１０１は、第１始動口スイッチ１１１、第２始動口スイッチ１１２、大入賞口スイッチ１１５、普通入賞口スイッチ１１７、Ｖ入賞口スイッチ１２０、又はハズレ入賞口スイッチ１２１からの検知信号が入力されると、遊技球が入賞した場所に応じた所定数の賞球の払い出しを払出制御基板（不図示）に指示し、払出制御基板からの情報に基づいて、払い出す賞球の個数を管理する。
【００６４】
この払出制御基板は、遊技盤２の裏面側に設けられている球タンクから皿２８へ賞球を送り出す駆動モータ等を有して構成されている。
【００６５】
メインＣＰＵ１０１は、第１始動口スイッチ１１１からの検知信号が入力されたタイミングで取得情報としての各種乱数を取得し、取得した乱数を用いて第１特別図柄判定を実行する。また、メインＣＰＵ１０１は、第２始動口スイッチ１１２からの検知信号が入力されたタイミングで取得情報としての各種乱数を取得し、取得した乱数を用いて第２特別図柄判定を実行する。そして、大当たりであると判定した場合には、大入賞口制御部１１６を介して大入賞口１３を開閉する。
【００６６】
また、メインＣＰＵ１０１は、第２特別図柄判定の結果が小当たりであると判定した場合には、特定領域開閉部１１９を介して羽根部材９０を作動させることで特定入賞口１９を開閉すると共に、Ｖ入賞口開閉部１２２を介してスライド部材９４を作動させることでＶ入賞口９２を開閉する。そして、スライド部材９４の作動中にＶ入賞口９２に遊技球が入賞した場合、大当たりであると判定した場合と同様に、大入賞口制御部１１６を介して大入賞口１３を開閉する。
【００６７】
また、メインＣＰＵ１０１は、ゲートスイッチ１１４からの検知信号が入力されたタイミングで乱数を取得し、取得した乱数を用いて普通図柄判定を実行する。そして、第２始動口１２を開放すると判定した場合、電動チューリップ開閉部１１３を介して電動チューリップ１７を作動させることによって、第２始動口１２を一時的に開放する。
【００６８】
また、メインＣＰＵ１０１は、表示器４を構成する各表示器４１〜４３，４５〜４７に対して、図２に基づいて上述した処理を実行させる。
【００６９】
［演出制御基板１３０の構成］
演出制御基板１３０は、サブＣＰＵ１３１、サブＲＯＭ１３２、サブＲＡＭ１３３、及び現時点の日時を計時するＲＴＣ（リアルタイムクロック）１３４を備えている。サブＣＰＵ１３１は、サブＲＯＭ１３２に記憶されたプログラムに基づいて、演出を制御する際の演算処理を行う。サブＲＡＭ１３３は、サブＣＰＵ１３１が上記プログラムを実行する際に用いる各種データを一時的に記憶する記憶領域又はデータ処理などの作業領域として使用される。
【００７０】
演出制御基板１３０のサブＣＰＵ１３１は、遊技制御基板１００から送信される特別図柄判定や普通図柄判定、特別遊技等に関する遊技情報に基づいて、演出内容を設定する。その際、演出ボタン２６又は演出キー２７からの操作情報の入力を受け付けて、その操作情報に応じた演出内容を設定する場合もある。また、サブＣＰＵ１３１は、設定した演出内容の演出の実行を指示するコマンドを画像音響制御基板１４０及びランプ制御基板１５０に送信する。
【００７１】
［ランプ制御基板１５０の構成］
ランプ制御基板１５０は、図には示されていないが、ＣＰＵ、ＲＯＭ、及びＲＡＭを備えている。ランプ制御基板１５０のＣＰＵは、ＲＯＭに記憶されたプログラムに基づいて、枠ランプ２５やロゴ役物７の動作を制御する際の演算処理を行う。ランプ制御基板１５０のＲＡＭは、ＣＰＵが上記プログラムを実行する際に用いる各種データを一時的に記憶する記憶領域又はデータ処理などの作業領域として使用される。
【００７２】
ランプ制御基板１５０のＲＯＭには、発光パターンデータ及び動作パターンデータが記憶されている。ここで、発光パターンデータは、枠ランプ２５やロゴ役物７が備える発光素子のそれぞれの発光パターンを示すデータである。動作パターンデータは、ロゴ役物７の動作パターンを示すデータである。
【００７３】
ランプ制御基板１５０のＣＰＵは、ＲＯＭに記憶された発光パターンデータの中から、演出制御基板１３０から受信したコマンドに対応する発光パターンデータをＲＡＭに読み出して、枠ランプ２５やロゴ役物７の発光素子の発光を制御する。また、ランプ制御基板１５０のＣＰＵは、ＲＯＭに記憶された動作パターンデータの中から、演出制御基板１３０から受信したコマンドに対応する動作パターンデータをＲＡＭに読み出して、ロゴ役物７を動作させるモータの駆動を制御する。
【００７４】
［画像音響制御基板１４０の構成］
画像音響制御基板１４０は、メイン液晶表示装置５及びサブ液晶表示装置６の画像表示制御と、スピーカ２４からの音声出力制御とを行うものである。この画像音響制御基板１４０は、図示は省略するが、ＣＰＵ、ＶＤＰ（Ｖｉｄｅｏ  Ｄｉｓｐｌａｙ  Ｐｒｏｃｅｓｓｏｒ）、音響ＤＳＰ（Ｄｉｇｉｔａｌ  Ｓｉｇｎａｌ  Ｐｒｏｃｅｓｓｏｒ）、ＲＯＭ、ＲＡＭ及びＶＲＡＭ等を備えている。
【００７５】
画像音響制御基板１４０のＣＰＵは、演出制御基板１３０から受信したコマンドに基づいて、ＶＤＰに対して、ＲＯＭに記憶されている画像データを用いてメイン液晶表示装置５又はサブ液晶表示装置６に演出画像を表示させる指示を行う。また、ＣＰＵは、音響ＤＳＰ１４３に対しても、ＲＯＭに記憶されている音響データをスピーカ２４から出力させる指示を行う。
【００７６】
画像音響制御基板１４０によって、後述する装飾図柄の変動表示制御や画像による演出が行われる。
【００７７】
[本実施形態のパチンコ遊技機１の動作概要]
次に、本実施形態に係るパチンコ遊技機１の動作概要について説明する。図６は、本実施形態に係るパチンコ遊技機１の動作概要を示す図である。図６に示すように、遊技球が第１始動口１１に入賞した場合、第１始動口スイッチ１１１が当該遊技球の入賞を検知し、当該検知情報に基づいて第１特別図柄判定の権利が、保留球として遊技制御部（遊技制御基板１００）において保留される。保留された第１特別図柄判定の権利（保留球）が消化されて当たり判定が行われるとともに、当該第１特別図柄判定の権利に基づく第１特別図柄の変動制御が開始される。この第１特別図柄の変動に応じて、遊技制御部から演出制御部に変動開始コマンドが送信され、変動開始コマンドに応じて特別図柄に対応する装飾図柄が変動を開始する。
【００７８】
ここで、第１特別図柄判定の権利が保留される際に、当該権利に対して事前判定処理が行われ、事前判定情報が演出制御部に送信される。事前判定情報は、保留された権利に対する当たり判定の結果や、大当たりの種類、当該権利に基づく特別図柄の変動が開始されたときの特別図柄の変動パターン（変動時間）等を判別するための情報である。
【００７９】
演出制御部では、送信された事前判定情報に基づいて、先読み予告判定を行う。先読み予告判定では、先読み予告演出を実行するか否かを判定する。先読み予告判定がされた場合、演出制御部は、先読み対象の保留に対する変動よりも前の変動における装飾図柄の停止時の図柄配列を決定する。例えば、先読み対象の保留よりも２回以上前の変動における停止図柄（図柄配列）を決定するとともに、さらにその次の変動における停止図柄を決定する。そして、演出制御部は、遊技制御部からの変動停止コマンドを受信した場合、決定した停止図柄で装飾図柄を停止表示させる。このようにして、演出制御部は、装飾図柄の停止時の図柄配列によって、先読み予告演出を行う。
【００８０】
図７は、本実施形態の遊技機１において用いられる装飾図柄の種類を示す図である。図７に示すように、特別図柄に対応する装飾図柄は、青図柄、緑図柄、赤図柄、および金図柄に分類される。これらは装飾図柄の色を示している。青図柄には「２、４、６、８」の図柄があり、緑図柄には「１、５、９」の図柄があり、赤図柄には「３、７」の図柄があり、金図柄には「Ｓ」の図柄がある。例えば、青図柄のうちの１つの装飾図柄が３つ揃うと（例えば、「２２２」）、通常遊技状態への移行を伴う大当たり（時短無し７Ｒ当たり）となり、赤図柄のうちの１つの装飾図柄が３つ揃うと（例えば、「７７７」）、時短遊技状態への移行を伴う大当たり（時短付き４Ｒ当たり、または突然時短当たり）となる。金図柄であるＳ図柄が３つ揃うと、例えば時短遊技状態への移行を伴う大当たり（時短付き４Ｒ当たり）となる。
【００８１】
次に、図８〜図１２を参照して、装飾図柄を用いた先読み予告演出について説明する。図８は、特別図柄の変動中に遊技球が第１始動口１１に入賞したことによって保留された特別図柄判定の権利に対して先読みが行われ、先読み予告演出が行われる場合のメイン液晶表示装置５に表示される画像の一例を示す図である。図９は、先読み予告演出が行われる場合において、１回目の特別図柄の変動が開始して終了する場合のメイン液晶表示装置５に表示される画像の一例を示す図である。図１０は、先読み予告演出が行われる場合において、２回目の特別図柄の変動が開始して終了する場合のメイン液晶表示装置５に表示される画像の一例を示す図である。図１１は、先読み予告演出が行われる場合において、３回目の特別図柄の変動が開始して終了する場合のメイン液晶表示装置５に表示される画像の一例を示す図である。図１２は、先読み予告演出が行われる場合において、先読み対象の特別図柄の変動が開始して終了する場合のメイン液晶表示装置５に表示される画像の一例を示す図である。
【００８２】
図８に示すように、メイン液晶表示装置５には、装飾図柄５１と、複数の保留アイコン５２とが表示される。装飾図柄５１は、特別図柄と連動する演出用の図柄であり、特別図柄の変動開始に応じて変動し、特別図柄が停止すると、停止する。保留アイコン５２は、特別図柄判定の権利を示す。保留は右から順に消化される。すなわち、現在の変動（保留０）が終了すると、保留１、保留２、保留３、保留４の順に消化される。
【００８３】
図８に示すように、特別図柄の変動中に第１始動口１１に遊技球が入賞したことに応じて、保留４の保留アイコン５２が、保留３の左側に追加される（図８（Ｂ））。また、保留４の追加の際に、当該保留４に対して先読みが行われる。ここで、先読みは、当該保留４に係る遊技球の入賞時に取得された遊技データ（後述する各乱数）に基づいて行われる事前判定処理である。すなわち、保留４の変動開始前に、保留４に係る特別図柄の変動が開始された場合の特別図柄判定の結果、特別図柄の変動パターン（変動時間）、およびリーチの有無等が判定される。ここでは、保留４に係る特別図柄判定の結果が大当たりであると仮定する。その後、図８（Ｃ）に示すように、例えば、当該変動が終了してハズレを示す図柄配列で装飾図柄５１が停止表示される。
【００８４】
その後、図９（Ａ）に示すように、保留１の変動が開始し、当該変動において特別図柄判定の結果がハズレの場合は、所定の図柄配列で装飾図柄５１が停止されることでハズレであることが報知される（図９（Ｃ））。ここで、図９（Ｃ）に示すように、装飾図柄５１は、全て青図柄で停止される。また、装飾図柄５１を構成する各図柄は、その外縁が通常（図８（Ｃ））とは異なる態様で表示される（エフェクトが加えられる）。この青図柄で装飾図柄５１が停止することは、先読み予告演出を意味し、その後の特別図柄判定の結果が大当たりになることを遊技者に期待させる演出である。なお、装飾図柄５１にエフェクトが加えられるとともに、青図柄で停止したことを示す効果音が出力されたり、光による演出が行われてもよい。
【００８５】
さらにその後、図１０（Ａ）に示すように、保留２の変動が開始し、当該変動において特別図柄判定の結果がハズレの場合は、全てが緑図柄となって装飾図柄５１が停止する（図１０（Ｃ））。これにより、ハズレであることが報知される。この緑図柄で装飾図柄５１が停止することは、青図柄と同様に、先読み予告演出を意味する。図１０（Ｃ）に示すように、緑図柄で装飾図柄５１が停止する場合も、各図柄にエフェクトが加えられる。
【００８６】
さらにその後、図１１（Ａ）に示すように、保留３の変動が開始し、当該変動において特別図柄判定の結果がハズレの場合は、全てが赤図柄となって装飾図柄５１が停止する（図１１（Ｃ））。これにより、ハズレであることが報知される。この赤図柄で装飾図柄５１が停止することは、先読み予告演出を意味する。図１１（Ｃ）に示すように、赤図柄で装飾図柄５１が停止する場合も、各図柄にエフェクトが加えられる。
【００８７】
そして、図１２に示すように、図８において先読みが行われた先読み対象である保留４の変動が開始すると、例えば所定のリーチ演出が行われた後、特別図柄判定の結果が大当たりであることを示す図柄配列で装飾図柄５１が停止して、大当たりであることが報知される。
【００８８】
図９〜図１１で示すように、青図柄で装飾図柄５１が停止すること、緑図柄で装飾図柄５１が停止すること、および赤図柄で装飾図柄５１が停止することは、先読み予告演出を意味する。すなわち、これら特定の図柄配列で装飾図柄５１を停止させる演出は、その後の特別図柄の変動（先読み対象の保留の変動）において大当たりとなることを遊技者に期待させる演出である。また、各図柄（青図柄、緑図柄等）は、その後に大当たりとなる信頼度がそれぞれ異なる。
【００８９】
図１３は、各図柄に応じた信頼度を示す図である。図１３に示すように、全て青図柄で装飾図柄５１が停止する場合、信頼度は最も低く、緑図柄、赤図柄の順で信頼度が高くなる。また、金図柄は最も信頼度が高い。
【００９０】
図９〜図１１に示したように、本実施形態の遊技機１では、複数の連続する変動にわたって段階的に予告演出が行われる。先読み対象の保留４が入賞して１回目の変動においては、青図柄で停止されることで先読み予告演出が行われていることが遊技者に認識される（図９）。これにより、次以降の変動に対する期待感が高まる。青図柄で停止した後の次の変動においては、さらに信頼度の高い緑図柄で停止することがある（図１０）。これにより、次以降の変動に対する期待感がさらに高まる。さらに、緑図柄で停止した後の次の変動においては、さらに信頼度の高い赤図柄で停止することがある（図１１）。これにより、次以降の変動に対する期待感がさらに高まる。
【００９１】
このように、信頼度の異なる特定の図柄配列が複数用意され、段階的に特定の図柄配列で装飾図柄５１を停止することにより、以降の変動において大当たりとなることに対する期待感を高めることができる。
【００９２】
なお、必ずしも信頼度が上昇する順に段階的に先読み予告演出が行われなくてもよい。図１４および図１５は、先読み予告演出が行われる場合において、複数変動にわたる装飾図柄の停止パターンの一例を示す図である。図１４に示すように、保留０の変動中（特別図柄の変動中）に３つの保留（保留１〜保留３）がある場合において、遊技球が第１始動口１１に入賞して４つ目の保留（保留４）が追加された際に、当該保留４を契機として先読み予告演出（連続予告演出）が行われる場合がある。この場合において、保留１の変動では青図柄で装飾図柄５１が停止し、保留２の変動では青図柄で装飾図柄５１が停止し、保留３の変動では赤図柄で装飾図柄５１が停止することがある。
【００９３】
また、図１５に示すように、保留４の入賞によって、先読み予告演出が行われた場合、保留１の変動では青図柄で装飾図柄５１が停止し、保留２の変動では金図柄で装飾図柄５１が停止し、保留３の変動では金図柄で装飾図柄５１が停止することがある。
【００９４】
図１６は、図１５に示す演出が行われた場合のメイン液晶表示装置５に表示される画像の一例を示す図である。図１６（Ａ）に示すように、保留１の変動において青図柄で装飾図柄５１が停止する。その後の保留２の変動においては、図１６（Ｂ）に示すように、１つの金図柄が３つの領域の中領域に停止するとともに、左領域および右領域には緑図柄が停止することがある。この場合、３つの図柄が全て緑図柄ではないが、金図柄が中領域に停止した場合は、先読み予告演出の実行中を意味する。このように、同じ種別の図柄が３つ揃うことなく、２つの同種の図柄と、１つの金図柄とが停止した場合に、先読み予告演出であることを意味する。すなわち、３つの領域のうち少なくとも１つの領域に金図柄が停止すると、先読み予告演出の実行中であることを意味する。さらにその後、図１６（Ｃ）に示すように、保留３の変動において、中領域に金図柄が停止して先読み予告演出が行われる。上述のように、金図柄は最も信頼度が高いため、図１６（Ｂ）や図１６（Ｃ）のように金図柄が停止することで、次以降の変動に対する期待感が高まる。
【００９５】
なお、先読み対象の保留入賞時に変動中の図柄が停止する際、上記先読み予告演出を示す図柄配列で装飾図柄５１を停止させてもよい。
【００９６】
図１７は、保留０の変動中において、当該変動を含めた先読み予告演出が行われる場合の装飾図柄の停止パターンの一例を示す図である。図１７に示すように、３つの保留がある状態で保留０の変動中に、４つ目の保留４に係る入賞があった場合、この入賞を契機として先読み予告演出が開始される。先読み予告演出が開始されると、保留０に係る特別図柄の停止の際に、青図柄で装飾図柄５１が停止される。次に、保留１に係る特別図柄の停止に応じて緑図柄で装飾図柄５１が停止され、さらにその次に、保留２に係る特別図柄の停止に応じて赤図柄で装飾図柄５１が停止される。そして、保留３に係る特別図柄の停止に応じて金図柄で装飾図柄５１が停止される。その後に、先読み対象の保留４に係る特別図柄の変動が開始され、特別図柄判定の結果が報知される。この場合は、比較的高い確率（例えば、６０％）で大当たりとなる。
【００９７】
このようにして、先読み対象の保留入賞時において変動中の特別図柄が停止する際に、特定の図柄配列で装飾図柄５１を停止させることによって、先読み予告演出を行ってもよい。すなわち、当該変動の含めて先読み予告演出を行ってもよいし、当該変動を含めずに先読み予告演出を行ってもよい。
【００９８】
以上のように、本実施形態の遊技機１では、先読み予告演出を行う場合、特定の態様で装飾図柄５１を停止させ、さらに、その次の変動においてより信頼度の高い別の態様で装飾図柄５１を停止させる。これにより、段階的に信頼度を上昇させて、遊技者の期待感を高めることができる。例えば、装飾図柄５１が、青図柄で停止し、次に青図柄で停止する場合（青図柄−青図柄の停止パターン）は、比較的信頼度が低く、次の変動においてはハズレとなる可能性が高い。また、青図柄で停止後に緑図柄で停止した場合（青図柄−緑図柄の停止パターン）は、比較的信頼度が低いが、青図柄−青図柄の停止パターンよりは信頼度は高い。一方で、青図柄、緑図柄、赤図柄の順に停止する場合は、比較的信頼度が高く、以降の変動において大当たりとなる可能性が高くなる。また、青図柄−青図柄の次にさらに赤図柄で停止することもあり、この場合は、信頼度は比較的高くなる。
【００９９】
[本実施形態のパチンコ遊技機１の処理の詳細]
次に、パチンコ遊技機１の各制御部において実行される処理の詳細について、フローチャートを用いて説明する。
【０１００】
［遊技制御基板１００によるタイマ割込み処理］
まず、図１８を参照しつつ、遊技制御基板１００において実行されるタイマ割込み処理について説明する。ここで、図１８は、遊技制御基板１００において実行されるタイマ割込み処理の一例を示すフローチャートである。遊技制御基板１００は、電源投入時や電源断時等の特殊な場合を除く通常の動作時において、図１８に例示されている一連の処理を一定時間（例えば４ミリ秒）毎に繰り返し実行する。なお、図１８以降のフローチャートに基づいて説明する遊技制御基板１００の処理は、メインＲＯＭ１０２に記憶されているプログラムに基づいてメインＣＰＵ１０１が発行する命令に従って行われる。
【０１０１】
まず、メインＣＰＵ１０１は、大当たり乱数、大当たり用図柄乱数、小当たり用図柄乱数、リーチ乱数、変動パターン乱数、及び普通図柄乱数の各種乱数を更新する乱数更新処理を実行する（ステップＳ１）。
【０１０２】
ここで、大当たり乱数は、大当たり、小当たり、又はハズレを決定するための乱数である。大当たり用図柄乱数は、大当たりであると判定された場合に、大当たりの種類を決定するための乱数である。小当たり用図柄乱数は、小当たり遊技中にＶ入賞口９２に遊技球が入賞した場合に発生する２種大当たりの種類を決定するための乱数である。リーチ乱数は、ハズレであると判定された場合に、リーチ有りの演出を行うか或いはリーチ無しの演出を行うかを決定するための乱数である。変動パターン乱数は、特別図柄が変動表示される際の変動パターンを決定するための乱数である。普通図柄乱数は、第２始動口１２を開放するか否かを決定するための乱数である。大当たり乱数、大当たり用図柄乱数、小当たり用図柄乱数、リーチ乱数、変動パターン乱数、及び普通図柄乱数は、このステップＳ１の処理が行われる毎に「１」ずつ加算される。なお、このステップＳ１の処理を行うカウンタとしてはループカウンタが使用されており、各乱数は、予め設定された最大値に達した後は「０」に戻る。
【０１０３】
ステップＳ１の処理に続いて、メインＣＰＵ１０１は、各スイッチからの検知信号が入力された場合に、スイッチ処理を実行する（ステップＳ２）。このスイッチ処理については、図１９〜図２２に基づいて後に詳述する。
【０１０４】
ステップＳ２の処理に続いて、メインＣＰＵ１０１は、特別図柄判定を実行し、第１特別図柄表示器４１又は第２特別図柄表示器４２に特別図柄を変動表示させてから特別図柄判定の結果を示す判定図柄を停止表示させる処理等を含む特別図柄処理を実行する（ステップＳ３）。この特別図柄処理については、図２３に基づいて後に詳述する。
【０１０５】
ステップＳ３の処理に続いて、メインＣＰＵ１０１は、普通図柄判定を実行し、普通図柄表示器４５に普通図柄を変動表示させてから普通図柄判定の結果を示す普通図柄を停止表示させる処理等を含む普通図柄処理を実行する（ステップＳ４）。この普通図柄処理については、図２６に基づいて後に詳述する。
【０１０６】
ステップＳ４の処理に続いて、メインＣＰＵ１０１は、普通図柄判定を行った結果、第２始動口１２を開放すると判定した場合に、電動チューリップ開閉部１１３を介して電動チューリップ１７を作動させる電動チューリップ処理を実行する（ステップＳ５）。この電動チューリップ処理については、図２７に基づいて後に詳述する。
【０１０７】
ステップＳ５の処理に続いて、メインＣＰＵ１０１は、ステップＳ３の特別図柄処理において小当たりであると判定した場合に、特定領域開閉部１１９を介して羽根部材９０を作動させると共に、Ｖ入賞口開閉部１２２を介してスライド部材９４を作動させる特定領域開放制御処理を実行する（ステップＳ６）。この特定領域開放制御処理については、図２８及び図２９に基づいて後に詳述する。
【０１０８】
ステップＳ６の処理に続いて、メインＣＰＵ１０１は、ステップＳ３において大当たりであると判定した場合、又は小当たり遊技中にＶ入賞口９２に遊技球が入賞した場合に、大入賞口制御部１１６を制御して大入賞口１３を開放する大入賞口開放制御処理を実行する（ステップＳ７）。この大入賞口開放制御処理については、図３０〜図３２に基づいて後に詳述する。
【０１０９】
ステップＳ７の処理に続いて、メインＣＰＵ１０１は、遊技球の入賞に応じた賞球の払い出しを制御する賞球処理を実行する（ステップＳ８）。
【０１１０】
ステップＳ８の処理に続いて、メインＣＰＵ１０１は、ステップＳ８よりも前の処理ステップにおいてメインＲＡＭ１０３にセット（格納）された各種コマンドや演出内容を決定するために必要な情報を演出制御基板１３０に送信する送信処理を実行する（ステップＳ９）。このステップＳ９の処理が実行されることにより、特別図柄判定や特別遊技に関する遊技情報が演出制御基板１３０に送信されることになる。この遊技情報は、具体的には、後述する保留コマンド、変動開始コマンド、変動停止コマンド、オープニングコマンド、ラウンド開始コマンド、エンディングコマンド等に含まれる情報である。
【０１１１】
［遊技制御基板１００によるスイッチ処理］
図１９は、図１８のステップＳ２におけるスイッチ処理の詳細フローチャートである。ステップＳ１の処理に続いて、メインＣＰＵ１０１は、図１９に例示されるように、第１始動口スイッチ１１１からの検知信号の入力の有無を監視して、ステップＳ１の処理によって適宜更新される各種乱数（大当たり乱数、大当たり用図柄乱数、リーチ乱数、及び変動パターン乱数）について、第１始動口スイッチ１１１からの検知信号が入力された時点の値を取得する第１始動口スイッチ処理を実行する（ステップＳ２１）。この第１始動口スイッチ処理については、図２０に基づいて後に詳述する。
【０１１２】
次に、メインＣＰＵ１０１は、第２始動口スイッチ１１２からの検知信号の入力の有無を監視して、ステップＳ１の処理によって適宜更新される各種乱数（大当たり乱数、大当たり用図柄乱数、小当たり用図柄乱数、リーチ乱数、及び変動パターン乱数）について、第２始動口スイッチ１１２からの検知信号が入力された時点の値を取得する第２始動口スイッチ処理を実行する（ステップＳ２２）。この第２始動口スイッチ処理については、図２１に基づいて後に詳述する。
【０１１３】
そして、メインＣＰＵ１０１は、ゲートスイッチ１１４からの検知信号の入力の有無を監視して、ステップＳ１の処理によって適宜更新される普通図柄乱数について、ゲートスイッチ１１４からの検知信号が入力された時点の値を取得するゲートスイッチ処理を実行する（ステップＳ２３）。このゲートスイッチ処理については、図２２に基づいて後に詳述する。
【０１１４】
［遊技制御基板１００による第１始動口スイッチ処理］
図２０は、図１９のステップＳ２１における第１始動口スイッチ処理の詳細フローチャートである。図２０に例示されるように、メインＣＰＵ１０１は、ステップＳ１の乱数更新処理に続いて、第１始動口スイッチ１１１からの検知信号（第１始動口スイッチ１１１が「ＯＮ」になったことを示すＯＮ信号）が入力されたか否かに基づいて、第１始動口スイッチ１１１が「ＯＮ」になったか否かを判定する（ステップＳ２１１）。ここで、第１始動口スイッチ１１１が「ＯＮ」になったと判定した場合（ステップＳ２１１：ＹＥＳ）、メインＲＡＭ１０３に記憶されている第１特別図柄判定の保留数Ｕ１が、予めメインＲＯＭ１０２に記憶されている第１特別図柄判定の最大保留数Ｕｍａｘ１（本実施形態では「４」）未満であるか否かを判定する（ステップＳ２１２）。
【０１１５】
メインＣＰＵ１０１は、保留数Ｕ１が最大保留数Ｕｍａｘ１未満であると判定した場合（ステップＳ２１２：ＹＥＳ）、保留数Ｕ１の値を「１」加算した値に更新する（ステップＳ２１３）。そして、第１特別図柄判定に使用する取得情報として、大当たり乱数、大当たり用図柄乱数、リーチ乱数、及び変動パターン乱数を取得し、これらの乱数を対応付けてメインＲＡＭ１０３の所定領域に格納する（ステップＳ２１４〜Ｓ２１７）。
【０１１６】
次に、メインＣＰＵ１０１は、取得した各乱数に基づく事前判定情報を含む保留コマンドをセットする（ステップＳ２１８）。ステップＳ２１８においては、取得した各乱数に基づいて事前判定処理が行われ、当該事前判定処理の結果としての事前判定情報が保留コマンドに含まれてセットされてもよいし、取得した各乱数を事前判定情報として、各乱数がそのまま保留コマンドに含まれてセットされてもよい。
【０１１７】
なお、本実施形態におけるパチンコ遊技機１は、第１特別図柄判定の結果が大当たり又はハズレのいずれかとなり、第１特別図柄判定においては、小当たり遊技を発生させる小当たりと判定されないように構成されている。このため、第１始動口スイッチ処理には、２種大当たりの種類を決定するための小当たり用図柄乱数を取得するステップが含まれていない。
【０１１８】
［遊技制御基板１００による第２始動口スイッチ処理］
図２１は、図１９のステップＳ２２における第２始動口スイッチ処理の詳細フローチャートである。図２１に示されるように、メインＣＰＵ１０１は、ステップＳ２１の第１始動口スイッチ処理に続いて、第２始動口スイッチ１１２からの検知信号（第２始動口スイッチ１１２が「ＯＮ」になったことを示すＯＮ信号）が入力されたか否かに基づいて、第２始動口スイッチ１１２が「ＯＮ」になったか否かを判定する（ステップＳ２２１）。
【０１１９】
メインＣＰＵ１０１は、第２始動口スイッチ１１２が「ＯＮ」になったと判定した場合（ステップＳ２２１：ＹＥＳ）、例えば、メインＲＡＭ１０３に記憶されている長当たり遊技フラグ、短当たり遊技フラグ、又は小当たり遊技フラグが「ＯＮ」に設定されているか否かに基づいて、特別遊技中であるか否かを判定する（ステップＳ２２２）。
【０１２０】
ここで、長当たり遊技フラグは、大入賞口１３を長開放する複数の長開放ラウンド遊技からなる長当たり遊技の実行中であるか否かを示すフラグであり、長当たり遊技の開始時に「ＯＮ」に設定され、長当たり遊技の終了時に「ＯＦＦ」に設定される。短当たり遊技フラグは、大入賞口１３を短開放する複数の短開放ラウンド遊技からなる短当たり遊技の実行中であるか否かを示すフラグであり、短当たり遊技の開始時に「ＯＮ」に設定され、短当たり遊技の終了時に「ＯＦＦ」に設定される。小当たり遊技フラグは、特定入賞口１９を開放する小当たり遊技の実行中であるか否かを示すフラグであり、小当たり遊技の開始時に「ＯＮ」に設定され、小当たり遊技の終了時に「ＯＦＦ」に設定される。
【０１２１】
メインＣＰＵ１０１は、特別遊技中ではないと判定した場合（ステップＳ２２２：ＮＯ）、第１特別図柄表示器４１又は第２特別図柄表示器４２における特別図柄の変動表示中であるか否かを判定する（ステップＳ２２３）。ここで、特別図柄の変動表示中ではないと判定した場合（ステップＳ２２３：ＮＯ）、第２特別図柄判定に使用する取得情報として、大当たり乱数、大当たり用図柄乱数、小当たり用図柄乱数、リーチ乱数、及び変動パターン乱数を取得し、これらの乱数を対応付けてメインＲＡＭ１０３の所定領域に格納する（ステップＳ２２４〜Ｓ２２８）。
【０１２２】
このように、特別遊技中ではなく特別図柄の変動表示中でもないときに第２始動口１２に遊技球が入賞した場合には、メインＣＰＵ１０１は、第２特別図柄判定に使用する各種乱数を、メインＲＡＭ１０３の判定用記憶領域に直接格納する。この判定用記憶領域は、特別図柄判定が実際に実行されるときにその特別図柄判定に使用される各種乱数が記憶される記憶領域である。なお、第１始動口１１に遊技球が入賞した場合には、メインＣＰＵ１０１は、第１特別図柄判定に使用する各種乱数をメインＲＡＭ１０３の保留記憶領域に格納し、実際に第１特別図柄判定を行って特別図柄の変動表示を開始させるときに、保留記憶領域に記憶されている各種乱数を判定用記憶領域にシフトさせる。
【０１２３】
以上説明したように、本実施形態では、特別図柄の変動表示中や特別遊技中に第２始動口１２に遊技球が入賞したためにその入賞に対応する第２特別図柄判定に係る特別図柄の変動表示を直ちに開始できない場合には、第２始動口１２への遊技球の入賞に基づく第２特別図柄判定は行われない（すなわち、第２特別図柄判定の権利は保留されない）。一方、第１始動口１１に遊技球が入賞したときにその入賞に対応する第１特別図柄判定に係る特別図柄の変動表示を直ちに開始できない場合であっても、第１特別図柄判定の権利は、４つを上限として保留される。
【０１２４】
［遊技制御基板１００によるゲートスイッチ処理］
図２２は、図１９のステップＳ２３におけるゲートスイッチ処理の詳細フローチャートである。図２２に示されるように、メインＣＰＵ１０１は、ステップＳ２２の第２始動口スイッチ処理に続いて、ゲートスイッチ１１４からの検知信号（ゲートスイッチ１１４が「ＯＮ」になったことを示すＯＮ信号）が入力されたか否かに基づいて、ゲートスイッチ１１４が「ＯＮ」になったか否かを判定する（ステップＳ２３１）。
【０１２５】
メインＣＰＵ１０１は、ゲートスイッチ１１４が「ＯＮ」になったと判定した場合（ステップＳ２３１：ＹＥＳ）、メインＲＡＭ１０３に記憶されている普通図柄判定の保留数Ｔが、メインＲＯＭ１０２に予め記憶されている普通図柄判定の最大保留数Ｔｍａｘ（例えば「４」）未満であるか否かを判定する（ステップＳ２３２）。
【０１２６】
メインＣＰＵ１０１は、保留数Ｔが最大保留数Ｔｍａｘ未満であると判定した場合（ステップＳ２３２：ＹＥＳ）、保留数Ｔを「１」加算した値に更新し（ステップＳ２３３）、この処理によって保留された普通図柄判定に使用される普通図柄乱数を取得して、メインＲＡＭ１０３に格納する（ステップＳ２３４）。
【０１２７】
［遊技制御基板１００による特別図柄処理］
次に、図２３を参照しつつ、遊技制御基板１００によって実行される特別図柄処理の詳細について説明する。ここで、図２３は、図１８のステップＳ３における特別図柄処理の詳細フローチャートである。図２３に示されるように、遊技制御基板１００のメインＣＰＵ１０１は、メインＲＡＭ１０３に記憶されている長当たり遊技フラグ、短当たり遊技フラグ、又は小当たり遊技フラグが「ＯＮ」に設定されているか否かに基づいて、特別遊技中であるか否かを判定する（ステップＳ３０１）。ここで、特別遊技中であると判定された場合（ステップＳ３０１：ＹＥＳ）、ステップＳ４の普通図柄処理に処理が進められる。
【０１２８】
メインＣＰＵ１０１は、特別遊技中ではないと判定した場合（ステップＳ３０１：ＮＯ）、特別図柄の変動表示中であるか否かを判定する（ステップＳ３０２）。ここで、特別図柄の変動表示中であると判定された場合（ステップＳ３０２：ＹＥＳ）、後述するステップＳ３１５に処理が進められる。
【０１２９】
メインＣＰＵ１０１は、特別図柄の変動表示中ではないと判定した場合（ステップＳ３０２：ＮＯ）、第２始動口入賞に係る各種乱数がメインＲＡＭ１０３の判定用記憶領域に記憶されているか否かを判定する（ステップＳ３０３）。具体的には、遊技球が第２始動口１２に入賞したことに応じて取得された各種乱数が判定用記憶領域に直接記憶されると共に、第２始動口入賞に係る各種乱数が記憶されたことを示すフラグが判定用記憶領域に記憶されるので、このフラグが記憶されているか否かに基づいて、判定用記憶領域に第２始動口入賞に係る各種乱数が記憶されているかを判別する。ここで、第２始動口入賞に係る乱数が記憶されていると判定された場合（ステップＳ３０３：ＹＥＳ）、後述するステップＳ３０７に処理が進められる。
【０１３０】
メインＣＰＵ１０１は、第２始動口入賞に係る乱数が判定用記憶領域に記憶されていないと判定した場合（ステップＳ３０３：ＮＯ）、メインＲＡＭ１０３に記憶されている第１特別図柄判定の保留数Ｕ１が「１」以上であるか否かを判定する（ステップＳ３０４）。ここで、保留数Ｕ１が「１」以上ではないと判定された場合（ステップＳ３０４：ＮＯ）、すなわち、第１特別図柄判定の権利が保留されていない場合、客待ちフラグが「ＯＮ」か否かを判定する（ステップＳ３２１）。客待ちフラグが「ＯＮ」でなければ、客待ちコマンドをメインＲＡＭ１０３にセットして（ステップＳ３２２）、客待ちフラグを「ＯＮ」にする（ステップＳ３２３）。
【０１３１】
メインＣＰＵ１０１は、保留数Ｕ１が「１」以上であると判定した場合（ステップＳ３０４：ＹＥＳ）、保留数Ｕ１を「１」減算した値に更新する（ステップＳ３０５）。そして、メインＲＡＭ１０３の記憶領域に対するシフト処理を実行する（ステップＳ３０６）。具体的には、メインＲＡＭ１０３の保留記憶領域に記憶されている第１特別図柄判定に係る大当たり乱数、大当たり用図柄乱数、リーチ乱数、及び変動パターン乱数について、保留記憶領域に最初に格納されたもの（最も古いもの）を判定用記憶領域にシフトさせ、残りのものを判定用記憶領域側にシフトさせる。
【０１３２】
メインＣＰＵ１０１は、ステップＳ３０６の処理を実行した場合、又は第２始動口入賞に係る乱数が判定用記憶領域に記憶されていると判定した場合（ステップＳ３０３：ＹＥＳ）、判定用記憶領域に記憶されている乱数に基づいて、大当たり判定処理を実行する（ステップＳ３０７）。この大当たり判定処理が実行されることによって、大当たり、小当たり、及びハズレのいずれであるかが判定され、その判定結果を示す判定図柄の設定情報がメインＲＡＭ１０３にセットされる。そして、大当たり（１種大当たり）であると判定された場合には大当たりの種類が決定され、小当たりであると判定された場合には小当たり遊技中にＶ入賞口９２に遊技球が入賞したことを契機として発生する２種大当たりの種類が決定される。この大当たり判定処理については、図２４に基づいて後に詳述する。
【０１３３】
ステップＳ３０７の処理に続いて、メインＣＰＵ１０１は、変動パターン選択処理を実行する（ステップＳ３０８）。具体的には、メインＲＯＭ１０２に予め記憶されている変動パターンテーブルを参照して、ステップＳ３０７における大当たり判定処理の結果、メインＲＡＭ１０３にセットされた判定図柄の種類、現在の遊技状態、第１特別図柄判定の保留数Ｕ１、上記ステップＳ３０７の処理で使用した大当たり乱数と一緒に判定用記憶領域に記憶されているリーチ乱数及び変動パターン乱数に基づいて、特別図柄の変動パターンを選択する。このステップＳ３０８の処理が行われることによって、リーチ有り演出を行うか、或いはリーチ無し演出を行うかも併せて決定される。
【０１３４】
ステップＳ３０８の処理に続いて、メインＣＰＵ１０１は、ステップＳ３０７の処理で設定した図柄の設定情報、この図柄の設定情報が第１特別図柄判定に係るものであるか或いは第２特別図柄判定に係るものであるかを示す情報、ステップＳ３０８の処理で設定した変動パターンの設定情報、リーチ有り演出とリーチ無し演出のどちらの演出を行うかを示す情報、パチンコ遊技機１の遊技状態に関する情報等を含む変動開始コマンドをメインＲＡＭ１０３にセットする（ステップＳ３０９）。この変動開始コマンドは、特別図柄の変動表示に伴う変動演出の開始を指示するコマンドであって、ステップＳ９の送信処理によって演出制御基板１３０に送信される。
【０１３５】
これに対して、演出制御基板１３０は、遊技制御基板１００から受信した変動開始コマンドを解析することによって、特別図柄判定の結果を特定し、リーチ有り演出とリーチ無し演出のどちらを行う必要があるのかを判定し、特別図柄が変動表示される変動時間を取得し、パチンコ遊技機１の遊技状態を特定する。そして、第１特別図柄表示器４１又は第２特別図柄表示器４２における特別図柄の変動表示に伴って、メイン液晶表示装置５にどのような演出画像を表示するか、スピーカ２４からどのような音を出力するか、枠ランプ２５をどのような発光パターンで発光させるか、ロゴ役物７を作動させるか否か等を決定し、決定した内容の演出を画像音響制御基板１４０及びランプ制御基板１５０に実行させる。
【０１３６】
ステップＳ３０９の処理に続いて、メインＣＰＵ１０１は、ステップＳ３０９の処理でセットした変動開始コマンドに含まれている設定情報に基づいて、特別図柄の変動表示を開始する（ステップＳ３１０）。
【０１３７】
なお、ステップＳ３１０における特別図柄の変動表示は、判定用記憶領域に第１特別図柄判定に係る乱数が記憶されている状態でステップＳ３０７〜ステップＳ３０９の処理が行われた場合には第１特別図柄表示器４１を用いて行われ、第２特別図柄判定に係る乱数が記憶されている状態でステップＳ３０７〜ステップＳ３０９の処理が行われた場合には第２特別図柄表示器４２を用いて行われる。
【０１３８】
ステップＳ３１０に続いて、メインＣＰＵ１０１は、メインＲＡＭ１０３に記憶されている客待ちフラグが「ＯＮ」に設定されているか否かを判定する（ステップＳ３１１）。ここで、客待ちフラグは、パチンコ遊技機１が客待ち状態であるか否かを示すフラグであり、第１特別図柄判定の権利が保留されておらず且つ第１特別図柄判定又は第２特別図柄判定に係る特別図柄の変動表示が行われなくなったタイミングで「ＯＮ」に設定され、特別図柄の変動表示が再び開始されることで「ＯＦＦ」に設定される。
【０１３９】
メインＣＰＵ１０１は、客待ちフラグが「ＯＮ」に設定されていると判定した場合（ステップＳ３１１：ＹＥＳ）、客待ちフラグを「ＯＦＦ」に設定する（ステップＳ３１２）。一方、客待ちフラグが「ＯＮ」に設定されていないと判定された場合（ステップＳ３１１：ＮＯ）、ステップＳ３１３に処理が進められる。
【０１４０】
メインＣＰＵ１０１は、ステップＳ３１２の処理を実行した場合、又は客待ちフラグが「ＯＮ」に設定されていないと判定した場合（ステップＳ３１１：ＮＯ）、変動時間の計測を開始する（ステップＳ３１３）。
【０１４１】
メインＣＰＵ１０１は、ステップＳ３１３の処理を実行した場合、又は特別図柄の変動表示中であると判定した場合（ステップＳ３０２：ＹＥＳ）、ステップＳ３１３における変動時間の計測開始から、ステップＳ３０８の処理によって選択された変動パターンに対応する変動時間が経過したか否かを判定する（ステップＳ３１５）。ここで、変動時間が経過していないと判定された場合（ステップＳ３１５：ＮＯ）、一連の特別図柄処理が終了してステップＳ４の普通図柄処理に処理が進められる。
【０１４２】
メインＣＰＵ１０１は、変動時間が経過したと判定した場合（ステップＳ３１５：ＹＥＳ）、第１特別図柄表示器４１又は第２特別図柄表示器４２に特別図柄判定の判定結果を示す判定図柄が停止表示されることを通知する変動停止コマンドをメインＲＡＭ１０３にセットする（ステップＳ３１６）。この変動停止コマンドは、ステップＳ９における送信処理によって演出制御基板１３０に送信される。これにより、メイン液晶表示装置５に変動表示されていた装飾図柄を特別図柄判定の判定結果を示す態様で停止表示させる処理等が行われることになる。
【０１４３】
ステップＳ３１６の処理に続いて、メインＣＰＵ１０１は、ステップＳ３１０の処理で開始した特別図柄の変動表示を終了する（ステップＳ３１７）。その際、ステップＳ３０７の処理で設定した判定図柄（大当たり図柄、小当たり図柄、又はハズレ図柄）を、特別図柄を変動表示していた特別図柄表示器に停止表示させる。すなわち、第１特別図柄表示器４１に大当たり図柄又はハズレ図柄を停止表示させ、第２特別図柄表示器４２に大当たり図柄、小当たり図柄、又はハズレ図柄を停止表示させる。
【０１４４】
ステップＳ３１７の処理に続いて、メインＣＰＵ１０１は、上記ステップＳ３１３の処理で計測を開始した変動時間をリセットし（ステップＳ３１８）、大当たりである場合に第１特別遊技を開始させ、小当たりである場合に小当たり遊技を開始させる処理等を含む停止中処理を実行する（ステップＳ３１９）。この停止中処理については、図２５に基づいて後に詳述する。
【０１４５】
［遊技制御基板１００による大当たり判定処理］
図２４は、図２３のステップＳ３０７における大当たり判定処理の詳細フローチャートである。メインＣＰＵ１０１は、メインＲＡＭ１０３の判定用記憶領域に第２特別図柄判定に係る乱数が記憶されていると判定した場合（ステップＳ３０３：ＹＥＳ）、又はステップＳ３０６の処理を実行した場合、図２４に示されるように、大当たり判定を実行する（ステップＳ３０７１）。ここで、第２始動口入賞に係る大当たり判定を実行する場合にはメインＲＯＭ１０２に予め記憶されている第２始動口入賞用大当たり判定テーブルを参照し、第１始動口入賞に係る大当たり判定を実行する場合にはメインＲＯＭ１０２に予め記憶されている第１始動口入賞用大当たり判定テーブルを参照する。
【０１４６】
第２始動口入賞用大当たり判定テーブルには、判定結果と乱数値とが対応付けられて記憶されている。具体的には、大当たりに対する乱数値と、小当たりに対する乱数値と、ハズレに対する乱数値とが記憶されている。メインＣＰＵ１０１は、第２始動口入賞に係る大当たり判定を実行する場合、判定用記憶領域に記憶されている大当たり乱数が、第２始動口入賞用大当たり判定テーブルに規定されているどの乱数値と一致するかに基づいて、大当たり（１種大当たり）であるか、小当たりであるか、又はハズレであるかを判定する。
【０１４７】
第１始動口入賞用大当たり判定テーブルには、判定結果と乱数値とが対応付けられて記憶されている。具体的には、大当たりに対する乱数値とハズレに対する乱数値とが記憶されている。メインＣＰＵ１０１は、第１始動口入賞に係る大当たり判定を実行する場合、判定用記憶領域に記憶されている大当たり乱数が、第１始動口入賞用大当たり判定テーブルに規定されているどの乱数値と一致するかに基づいて、大当たり（１種大当たり）であるか、又はハズレであるかを判定する。
【０１４８】
このように、メインＣＰＵ１０１は、第１特別図柄判定又は第２特別図柄判定に係る各種乱数が判定用記憶領域に記憶されるといった始動条件が成立すると、判定用記憶領域に記憶されている各種乱数に基づいて、第１特別遊技を行うか否かを判定する。
【０１４９】
メインＣＰＵ１０１は、ステップＳ３０７１の判定結果に基づいて、１種大当たりであるか否かを判定する（ステップＳ３０７２）。ここで、１種大当たりであると判定した場合（ステップＳ３０７２：ＹＥＳ）、すなわち、判定用記憶領域に記憶されている大当たり乱数が第２始動口入賞用大当たり判定テーブル又は第１始動口入賞用大当たり判定テーブルに規定されている大当たりの乱数値と一致した場合、メインＲＯＭ１０２に予め記憶されている大当たり時の図柄決定テーブルを参照して大当たりの種類を決定する（ステップＳ３０７３）。
【０１５０】
大当たり時の図柄決定テーブルには、当たりの種類と乱数値とが対応付けられて記憶されている。メインＣＰＵ１０１は、大当たり乱数と一緒に判定用記憶領域に記憶されている大当たり用図柄乱数が、大当たり時の図柄決定テーブルに規定されているどの乱数値と一致するかに基づいて、１種大当たりの種類を決定する。第１特別図柄判定における１種大当たりの種類としては、「時短無し７Ｒ当たり」、「時短付き４Ｒ当たり」、「突然時短当たり」が例として挙げられ、第２特別図柄判定における１種大当たりの種類としては、「時短無し４Ｒ当たり」、「時短付き１５Ｒ当たり」、「時短付き４Ｒ当たり」が例として挙げられる（図４参照）。
【０１５１】
そして、メインＣＰＵ１０１は、ステップＳ３０７３で決定した大当たりの種類に応じた大当たり図柄を設定情報としてメインＲＡＭ１０３にセットする（ステップＳ３０７４）。これにより、上記ステップＳ３１７の処理の際にここでセットされた大当たり図柄が第１特別図柄表示器４１又は第２特別図柄表示器４２に判定図柄として停止表示されて、特別遊技が実行されることになる。
【０１５２】
一方、メインＣＰＵ１０１は、特別図柄判定の結果が１種大当たりではないと判定した場合（ステップＳ３０７２：ＮＯ）、判定用記憶領域に第２特別図柄判定に係るフラグが記憶されているか否かに基づいて、この特別図柄判定が第１始動口入賞に係る第１特別図柄判定であるか否かを判断する（ステップＳ３０７５）。ここで、第１特別図柄判定であると判断した場合（ステップＳ３０７５：ＹＥＳ）、第１特別図柄判定の判定結果が大当たりでない場合にはハズレであるので、ハズレ図柄を設定情報としてメインＲＡＭ１０３にセットする（ステップＳ３０７６）。これにより、上記ステップＳ３１７の処理の際にここでセットされたハズレ図柄が第１特別図柄表示器４１に判定図柄として停止表示されることになる。
【０１５３】
ところで、第２特別図柄判定の判定結果が大当たりではない場合、その判定結果は、小当たり又はハズレとなる。これに対して、メインＣＰＵ１０１は、第１特別図柄判定ではないと判定した場合（ステップＳ３０７５：ＮＯ）、すなわち今回の特別図柄判定が第２特別図柄判定である場合、ステップＳ３０７１における大当たり判定の結果が小当たりであるか否かを判定する（ステップＳ３０７７）。具体的には、判定用記憶領域に記憶されている大当たり乱数が、第２始動口入賞用大当たり判定テーブルに規定されている小当たりに対応する乱数値と一致するか否かに基づいて、第２特別図柄判定の判定結果が小当たりであるかハズレであるかを判定する。
【０１５４】
メインＣＰＵ１０１は、第２特別図柄判定の結果が小当たりではないと判定した場合（ステップＳ３０７７：ＮＯ）、上記ステップＳ３０７６に処理が進められる。この場合、上記ステップＳ３１７の処理の際にここでセットされたハズレ図柄が第２特別図柄表示器４２に判定図柄として停止表示されることになる。
【０１５５】
一方、メインＣＰＵ１０１は、第２特別図柄判定の結果が小当たりであると判定した場合（ステップＳ３０７７：ＹＥＳ）、メインＲＯＭ１０２に予め記憶されている小当たり時の図柄決定テーブルを参照して小当たりの種類を決定する（ステップＳ３０７８）。具体的には、判定用記憶領域に記憶されている小当たり用図柄乱数が、小当たり時の図柄決定テーブルに規定されているどの乱数値と一致するかに基づいて、小当たりの種類を決定する。そして、決定した小当たり図柄を設定情報としてメインＲＡＭ１０３にセットする（ステップＳ３０７９）。これにより、上記ステップＳ３１７の処理の際にここでセットされた小当たり図柄が第２特別図柄表示器４２に判定図柄として停止表示されることになる。
【０１５６】
このようにして小当たり図柄が第２特別図柄表示器４２に停止表示されると、上述した小当たり遊技が開始される。そして、小当たり遊技中にＶ入賞口９２に遊技球が入賞すると２種大当たりとなり、小当たり遊技を１ラウンド目とする第２特別遊技が行われることになる。なお、２種大当たりの種類は、第２特別図柄表示器４２に停止表示された小当たり図柄に基づいて決定される。このため、小当たりの種類を決定する処理は、２種大当たりの種類を決定する処理と捉えることができる。２種大当たりの種類としては、「時短付き１５Ｒ当たり」、「時短付き４Ｒ当たり」、「時短無し４Ｒ当たり」が例として挙げられる（図４参照）。
【０１５７】
［遊技制御基板１００による停止中処理］
図２５は、図２３のステップＳ３１９における停止中処理の詳細フローチャートである。ここで、「停止中処理」は、特別図柄判定の結果を示す特別図柄が第１特別図柄表示器４１又は第２特別図柄表示器４２に停止表示される毎に、その特別図柄判定の結果に応じた処理を実行するものである。
【０１５８】
メインＣＰＵ１０１は、上記ステップＳ３１８の処理によって変動時間をリセットした後、図２５に示されるように、上記ステップＳ３０７１の大当たり判定の結果に基づいて、１種大当たりであるか否かを判定する（ステップＳ３１９１）。ここで、１種大当たりであると判定した場合（ステップＳ３１９１：ＹＥＳ）、１種大当たりに対して実行される第１特別遊技が、長当たり遊技であるか短当たり遊技であるかを判定する（ステップＳ３１９２）。具体的には、上記ステップＳ３０７４の処理でメインＲＡＭ１０３にセットされた大当たり図柄を設定情報に基づいて、長当たり遊技が行われるか短当たり遊技が行われるかを判定する。なお、本実施形態では、「突然時短当たり」のときにのみ短当たり遊技が行われ、これ以外の１種大当たりに対しては長当たり遊技が行われる。
【０１５９】
メインＣＰＵ１０１は、長当たり遊技であると判定した場合には（ステップＳ３１９２：ＹＥＳ）、長当たり遊技フラグを「ＯＮ」に設定し（ステップＳ３１９３）、長当たり遊技ではないと判定した場合には（ステップＳ３１９２：ＮＯ）、短当たり遊技フラグを「ＯＮ」に設定する（ステップＳ３１９４）。
【０１６０】
ステップＳ３１９３の処理又はステップＳ３１９４の処理に続いて、メインＣＰＵ１０１は、メインＲＡＭ１０３に記憶されている時短遊技フラグが「ＯＮ」に設定されているか否かを判定する（ステップＳ３１９５）。この時短遊技フラグは、パチンコ遊技機１の遊技状態が時短遊技状態であるか否かを示すフラグであり、通常遊技状態から時短遊技状態に移行する際に「ＯＮ」に設定され、時短遊技状態から通常遊技状態に戻される際に「ＯＦＦ」に設定される。ここで、時短遊技フラグが「ＯＮ」に設定されていると判定した場合（ステップＳ３１９５：ＹＥＳ）、時短遊技フラグを「ＯＦＦ」に設定する（ステップＳ３１９６）。逆に、時短遊技フラグが「ＯＮ」に設定されていないと判定された場合（ステップＳ３１９５：ＮＯ）、後述するステップＳ３２０３に処理が進められる。
【０１６１】
一方、メインＣＰＵ１０１は、１種大当たりではないと判定した場合（ステップＳ３１９１：ＮＯ）、時短遊技フラグが「ＯＮ」に設定されているか否かを判定する（ステップＳ３１９７）。ここで、時短遊技フラグが「ＯＮ」に設定されていないと判定された場合（ステップＳ１９７：ＮＯ）、後述するステップＳ３２０１に処理が進められる。
【０１６２】
メインＣＰＵ１０１は、時短遊技フラグが「ＯＮ」に設定されていると判定した場合（ステップＳ３１９７：ＹＥＳ）、メインＲＡＭ１０３に記憶されている時短遊技残余回数Ｗを「１」減算した値に更新する（ステップＳ３１９８）。この時短遊技残余回数Ｗは、時短遊技状態で第２特別図柄判定（又は第１特別図柄判定）が実行される残り回数を示すものであり、時短遊技残余回数Ｗが「０」になると、遊技状態が時短遊技状態から通常遊技状態に戻されることになる。
【０１６３】
ステップＳ３１９８に続いて、メインＣＰＵ１０１は、時短遊技残余回数Ｗが「０」であるか否かを判定する（ステップＳ３１９９）。ここで、時短遊技残余回数Ｗが「０」ではないと判定された場合（ステップＳ３１９９：ＮＯ）、後述するステップＳ３２０１に処理が進められる。
【０１６４】
メインＣＰＵ１０１は、時短遊技残余回数Ｗが「０」であると判定した場合（ステップＳ３１９９：ＹＥＳ）、時短遊技フラグを「ＯＦＦ」に設定する（ステップＳ３２００）。これにより、遊技状態が時短遊技状態から通常遊技状態に戻されることになる。
【０１６５】
メインＣＰＵ１０１は、ステップＳ３２００の処理を実行した場合、時短遊技フラグが「ＯＮ」ではないと判定した場合（ステップＳ３１９７：ＮＯ）、又は時短遊技残余回数Ｗが「０」ではないと判定した場合（ステップＳ３１９９：ＮＯ）、上記ステップＳ３０７７の処理と同様に、小当たりであるか否かを判定する（ステップＳ３２０１）。ここで、小当たりではないと判定された場合（ステップＳ３２０１：ＮＯ）、ステップＳ４の普通図柄処理に処理が進められる。
【０１６６】
メインＣＰＵ１０１は、小当たりであると判定した場合（ステップＳ３２０１：ＹＥＳ）、小当たり遊技フラグを「ＯＮ」に設定する（ステップＳ３２０２）。
【０１６７】
メインＣＰＵ１０１は、ステップＳ３１９６の処理を実行した場合、時短遊技フラグが「ＯＮ」に設定されていないと判定した場合（ステップＳ３１９５：ＮＯ）、又はステップＳ３２０２の処理を実行した場合、メインＲＡＭ１０３にオープニングコマンドをセットする（ステップＳ３２０３）。ここで、オープニングとは、長当たり遊技又は短当たり遊技が開始されてから最初に大入賞口１３が開放され始めるまでの期間、又は小当たり遊技が開始されてから最初に特定入賞口１９が開放され始めるまでの期間のことをいう。これに対して、オープニングコマンドは、これらのオープニングが開始されることを通知するためのコマンドであり、ステップＳ９の送信処理によって演出制御基板１３０に送信される。
【０１６８】
［遊技制御基板１００による普通図柄処理］
図２６は、図１８のステップＳ４における普通図柄処理の詳細フローチャートである。メインＣＰＵ１０１は、ステップＳ３の特別図柄処理に続いて、メインＲＡＭ１０３に記憶されている補助遊技フラグが「ＯＮ」に設定されているか否かを判定する（ステップＳ４０１）。この補助遊技フラグは、電動チューリップ１７が規定時間だけ開姿勢を維持した後に閉姿勢に戻る動作を規定回数行う補助遊技中であるか否かを示すフラグであり、補助遊技中は「ＯＮ」に設定され、補助遊技中でないときは「ＯＦＦ」に設定される。
【０１６９】
ステップＳ４０１において、補助遊技フラグが「ＯＮ」に設定されていると判定された場合（ステップＳ４０１：ＹＥＳ）、ステップＳ５の電動チューリップ処理に処理が進められる。
【０１７０】
メインＣＰＵ１０１は、補助遊技フラグが「ＯＮ」に設定されていないと判定した場合（ステップＳ４０１：ＮＯ）、普通図柄表示器４５における普通図柄の変動表示中であるか否かを判定し（ステップＳ４０２）、普通図柄の変動表示中ではないと判定した場合（ステップＳ４０２：ＮＯ）、普通図柄判定の保留数Ｔが「１」以上であるか否かを判定する（ステップＳ４０３）。ここで、保留数Ｔが「１」以上ではないと判定された場合（ステップＳ４０３：ＮＯ）、ステップＳ５の電動チューリップ処理に処理が進められる。
【０１７１】
メインＣＰＵ１０１は、保留数Ｔが「１」以上であると判定した場合（ステップＳ４０３：ＹＥＳ）、保留数Ｔを「１」減算した値に更新し（ステップＳ４０４）、当たり乱数判定処理を実行する（ステップＳ４０５）。具体的には、上記ステップＳ２３４（図２０参照）に処理によってメインＲＡＭ１０３に記憶された普通図柄乱数の中で最も古い普通図柄乱数が、予めメインＲＯＭ１０２に記憶されている普通図柄判定に係る当選値のいずれかと一致するか否かに基づいて、普通図柄判定の判定結果が当たりであるか否かを判定する。
【０１７２】
ステップＳ４０５の処理に続いて、メインＣＰＵ１０１は、ステップＳ４０５の判定結果に基づいて、普通図柄判定の判定結果が当たりであるか否かを判断し（ステップＳ４０６）、当たりであると判断した場合（ステップＳ４０６：ＹＥＳ）、普通図柄表示器４５に判定図柄として停止表示させる当たり図柄をメインＲＡＭ１０３にセットする（ステップＳ４０７）。逆に、普通図柄判定の判定結果が当たりではないと判断した場合（ステップＳ４０６：ＮＯ）、ハズレ図柄をメインＲＡＭ１０３にセットする（ステップＳ４０８）。
【０１７３】
ステップＳ４０７又はステップＳ４０８の処理に続いて、メインＣＰＵ１０１は、時短遊技フラグが「ＯＮ」に設定されているか否かに基づいて、パチンコ遊技機１の現在の遊技状態が通常遊技状態であるか否かを判定する（ステップＳ４０９）。
【０１７４】
メインＣＰＵ１０１は、現在の遊技状態が通常遊技状態であると判定した場合（ステップＳ４０９：ＹＥＳ）、普通図柄表示器４５に普通図柄を変動表示させる普通図柄変動時間を例えば２５秒にセットする（ステップＳ４１０）。
【０１７５】
一方、メインＣＰＵ１０１は、現在の遊技状態が通常遊技状態ではないと判定した場合（ステップＳ４０９：ＮＯ）、普通図柄変動時間を例えば２秒にセットする（ステップＳ４１１）。
【０１７６】
このようにしてステップＳ４１０又はステップＳ４１１の処理によってセットされた普通図柄変動時間は、メインＲＡＭ１０３に一時的に記憶される。
【０１７７】
ステップＳ４１０又はステップＳ４１１の処理に続いて、メインＣＰＵ１０１は、普通図柄表示器４５による普通図柄の変動表示を開始させ（ステップＳ４１２）、その変動表示開始からの経過時間の計測を開始する（ステップＳ４１３）。
【０１７８】
一方、メインＣＰＵ１０１は、普通図柄表示器４５による普通図柄の変動表示中であると判定した場合（ステップＳ４０２：ＹＥＳ）、普通図柄の変動表示を終了させるか否かを判定する（ステップＳ４１５）。具体的には、ステップＳ４１３の処理によって計測を開始した経過時間が、ステップＳ４１０又はステップＳ４１１でセットした普通図柄変動時間に達したか否かに基づいて、普通図柄の変動表示を終了させるか否かを判定する。ここで、普通図柄の変動表示を終了させないと判定された場合（ステップＳ４１５：ＮＯ）、ステップＳ５の電動チューリップ処理に処理が進められる。
【０１７９】
メインＣＰＵ１０１は、普通図柄の変動表示を終了させると判定した場合（ステップＳ４１５：ＹＥＳ）、普通図柄表示器４５における普通図柄の変動表示を終了させてステップＳ４０７の処理でメインＲＡＭ１０３にセットされた当たり図柄又はステップＳ４０８の処理でメインＲＡＭ１０３にセットされたハズレ図柄を停止表示させる（ステップＳ４１６）。そして、ステップＳ４１３の処理で計測を開始した経過時間をリセットする（ステップＳ４１７）。そして、上記ステップＳ４０６の処理と同様に、普通図柄判定の判定結果が当たりであるか否かを判定する（ステップＳ４１８）。ここで、普通図柄判定の判定結果が当たりであると判定した場合（ステップＳ４１８：ＹＥＳ）、補助遊技フラグを「ＯＮ」に設定する（ステップＳ４１９）。このようにして補助遊技フラグが「ＯＮ」に設定されることにより、電動チューリップ１７を作動させる補助遊技が開始されることになる。
【０１８０】
［遊技制御基板１００による電動チューリップ処理］
図２７は、図１８のステップＳ５における電動チューリップ処理の詳細フローチャートである。ステップＳ４の普通図柄処理に続いて、メインＣＰＵ１０１は、補助遊技フラグが「ＯＮ」に設定されているか否かを判定する（ステップＳ５０１）。ここで、補助遊技フラグが「ＯＮ」に設定されていないと判定された場合（ステップＳ５０１：ＮＯ）、ステップＳ６の特定領域開放制御処理に処理が進められる。
【０１８１】
メインＣＰＵ１０１は、補助遊技フラグが「ＯＮ」に設定されていると判定した場合（ステップＳ５０１：ＹＥＳ）、電動チューリップ１７が動作中であるか否かを判定する（ステップＳ５０２）。ここで、電動チューリップ１７が動作中であると判定された場合（ステップＳ５０２：ＹＥＳ）、後述するステップＳ５０７に処理が進められる。
【０１８２】
メインＣＰＵ１０１は、電動チューリップ１７が動作中ではないと判定した場合（ステップＳ５０２：ＮＯ）、時短遊技フラグが「ＯＮ」に設定されているか否かに基づいて、現在の遊技状態が通常遊技状態であるか否かを判定する（ステップＳ５０３）。ここで、現在の遊技状態が通常遊技状態であると判定した場合（ステップＳ５０３：ＹＥＳ）、電動チューリップ１７の動作パターンとして、第２始動口１２を０．１秒間開放する動作を１回行う動作パターンをメインＲＡＭ１０３にセットする（ステップＳ５０４）。
【０１８３】
一方、メインＣＰＵ１０１は、現在の遊技状態が通常遊技状態ではないと判定した場合（ステップＳ５０３：ＮＯ）、すなわち時短遊技状態である場合、電動チューリップ１７の動作パターンとして、第２始動口１２を０．３秒間開放する動作を５回行う動作パターンをメインＲＡＭ１０３にセットする（ステップＳ５０５）。
【０１８４】
メインＣＰＵ１０１は、ステップＳ５０４又はステップＳ５０５で動作パターンをセットした後、セットした動作パターンでの電動チューリップ１７の動作を電動チューリップ開閉部１１３に開始させる（ステップＳ５０６）。
【０１８５】
メインＣＰＵ１０１は、ステップＳ５０６の処理を実行した場合、又は電動チューリップ１７の動作中であると判定した場合（ステップＳ５０２：ＹＥＳ）、ステップＳ５０６の処理で開始された電動チューリップ１７の動作が完了したか否かを判定する（ステップＳ５０７）。ここで、電動チューリップ１７の動作が完了したと判定した場合（ステップＳ５０７：ＹＥＳ）、メインＲＡＭ１０３に記憶されている補助遊技フラグを「ＯＦＦ」に設定する（ステップＳ５０８）。これにより、補助遊技が終了される。
【０１８６】
［遊技制御基板１００による特定領域開閉制御処理］
第２特別図柄判定の結果が小当たりである場合、ステップＳ６の特定領域開放制御処理によって小当たり遊技が実行される。以下、図２８及び図２９を参照しつつ、遊技制御基板１００によって実行される特定領域開放制御処理について説明する。ここで、図２８及び図２９は、図１８のステップＳ６における特定領域開放制御処理の詳細フローチャートである。
【０１８７】
ステップＳ５の電動チューリップ処理に続いて、メインＣＰＵ１０１は、図２８に例示されるように、小当たり遊技フラグが「ＯＮ」に設定されているか否かを判定する（ステップＳ６０１）。ここで、小当たり遊技フラグが「ＯＮ」に設定されていないと判定された場合（ステップＳ６０１：ＮＯ）、ステップＳ７の大入賞口開放制御処理に処理が進められる。
【０１８８】
メインＣＰＵ１０１は、小当たり遊技フラグが「ＯＮ」に設定されていると判定した場合（ステップＳ６０１：ＹＥＳ）、例えば上記ステップＳ３１９９の処理において小当たり遊技に係るオープニングコマンドをセットしてからの経過時間に基づいて、小当たり遊技のオープニング中であるか否かを判定する（ステップＳ６０２）。ここで、オープニング中であると判定した場合（ステップＳ６０２：ＹＥＳ）、予め定められたオープニング時間が経過したか否かを判定する（ステップＳ６０３）。ここで、オープニング時間が経過していないと判定された場合（ステップＳ６０３：ＮＯ）、ステップＳ７の大入賞口開放制御処理に処理が進められる。
【０１８９】
メインＣＰＵ１０１は、オープニング時間が経過したと判定した場合（ステップＳ６０３：ＹＥＳ）、メインＲＡＭ１０３に記憶されている特定入賞口１９への遊技球の入賞数Ｘをリセットし（ステップＳ６０４）、特定領域開閉部１１９による特定入賞口１９の開放制御を開始し（ステップＳ６０５）、この開放制御が開始されてからの経過時間の計測を開始する（ステップＳ６０６）。
【０１９０】
このステップＳ６０５の処理が行われることによって、羽根部材９０が特定入賞口１９を３．２秒間開放してから閉塞する動作が１回行われることになる。
【０１９１】
一方、メインＣＰＵ１０１は、小当たり遊技におけるオープニング中ではないと判定した場合（ステップＳ６０２：ＮＯ）、例えば小当たり遊技開始からの経過時間に基づいて、小当たり遊技のエンディング中であるか否かを判定する（ステップＳ６０８）。ここで、エンディング中であると判定された場合（ステップＳ６０８：ＹＥＳ）、後述するステップＳ６２５（図２９参照）に処理が進められる。
【０１９２】
メインＣＰＵ１０１は、小当たり遊技におけるエンディング中ではないと判定した場合（ステップＳ６０８：ＮＯ）、特定入賞口スイッチ１１８からの検知信号の入力の有無に基づいて、特定入賞口スイッチ１１８が「ＯＮ」になったか否かを判定する（ステップＳ６０９）。ここで、特定入賞口スイッチ１１８が「ＯＮ」になったと判定した場合（ステップＳ６０９：ＹＥＳ）、特定入賞口１９に１個の遊技球が入賞したと判断して、遊技球の入賞数Ｘを「１」加算した値に更新する（ステップＳ６１０）。
【０１９３】
メインＣＰＵ１０１は、ステップＳ６１０の処理を実行した場合、特定入賞口スイッチ１１８が「ＯＮ」ではないと判定した場合（ステップＳ６０９：ＮＯ）、又はステップＳ６０６の処理を実行した場合、ステップＳ６０６の処理で計測を開始した経過時間が予め設定された設定時間（例えば０．５秒）に達したか否かを判定する（ステップＳ６１１）。ここで、設定時間に達したと判定した場合（ステップＳ６１１：ＹＥＳ）、Ｖ入賞口開閉部１２２にスライド部材９４を作動させてＶ入賞口９２を開放する処理を開始させる（ステップＳ６１２）。これにより、上述した２種大当たりが発生可能となる。
【０１９４】
メインＣＰＵ１０１は、ステップＳ６１２の処理を実行した場合、又は経過時間が設定時間に達していないと判定した場合（ステップＳ６１１：ＮＯ）、Ｖ入賞口スイッチ１２０からの検知信号の入力の有無に基づいて、Ｖ入賞口スイッチ１２０が「ＯＮ」になったか否かを判定する（ステップＳ６１３）。ここで、Ｖ入賞口スイッチ１２０が「ＯＮ」になったと判定した場合（ステップＳ６１３：ＹＥＳ）、メインＲＡＭ１０３に記憶されているＶ入賞フラグを「ＯＮ」に設定する（ステップＳ６１４）。このＶ入賞フラグは、小当たり遊技中にＶ入賞口９２に遊技球が入賞して２種大当たりが発生したか否かを示すフラグであり、Ｖ入賞口９２に遊技球が入賞していない状態では「ＯＦＦ」に設定されており、Ｖ入賞口９２に遊技球が入賞すると「ＯＮ」に設定される。
【０１９５】
メインＣＰＵ１０１は、ステップＳ６１４の処理を実行した場合、又はＶ入賞口スイッチ１２０が「ＯＮ」になっていないと判定した場合（ステップＳ６１３：ＮＯ）、Ｖ入賞口９２の閉塞タイミングであるか否かを判定する（ステップＳ６１５）。具体的には、Ｖ入賞口９２が開放されてから所定の時間（本実施形態では０．２秒）が経過したか否かを判定する。ここで、閉塞タイミングであると判定した場合（ステップＳ６１５：ＹＥＳ）、Ｖ入賞口開閉部１２２にＶ入賞口９２を閉塞させる（ステップＳ６１６）。このようにして、特定入賞口１９の開放から０．５秒後に０．２秒間だけＶ入賞口９２が開放される。
【０１９６】
メインＣＰＵ１０１は、ステップＳ６１６の処理を実行した場合、又はＶ入賞口９２の閉塞タイミングではないと判定した場合（ステップＳ６１５：ＮＯ）、ステップＳ６０６の処理によって計測を開始した経過時間に基づいて、羽根部材９０の規定開放動作（本実施形態では、特定入賞口１９を３．２秒間開放する１回の動作）が終了したか否かを判定する（ステップＳ６１８）。ここで、規定開放動作が終了したと判定された場合（ステップＳ６１８：ＹＥＳ）、後述するステップＳ６２０に処理が進められる。
【０１９７】
メインＣＰＵ１０１は、規定開放動作が終了していないと判定した場合（ステップＳ６１８：ＮＯ）、今回の小当たり遊技における特定入賞口１９への遊技球の入賞数Ｘが、予めメインＲＯＭ１０２に記憶されている特定入賞口１９の閉塞タイミングを規定する遊技球数Ｘｍａｘ（例えば「６」）と一致するか否かを判定する（ステップＳ６１９）。ここで、入賞数Ｘが遊技球数Ｘｍａｘと一致しないと判定された場合（ステップＳ６１９：ＮＯ）、ステップＳ７の大入賞口開放制御処理に処理が進められる。
【０１９８】
一方、メインＣＰＵ１０１は、入賞数Ｘが遊技球数Ｘｍａｘと一致すると判定した場合（ステップＳ６１９：ＹＥＳ）、又は規定開放動作が終了したと判定した場合（ステップＳ６１８：ＹＥＳ）、ステップＳ６０５の処理で開始した特定入賞口１９の開放制御を終了させ（ステップＳ６２０）、ステップＳ６０６の処理で計測を開始した経過時間をリセットし（ステップＳ６２１）、エンディング時間の計測を開始する（ステップＳ６２２）。このステップＳ６２２の処理が行われた場合、ステップＳ７の大入賞口開放制御処理に処理が進められる。ここで、エンディングは、特定入賞口１９の開放が終了してから小当たり遊技が終了するまでの期間をいう。
【０１９９】
このようにして計測が開始されたエンディング時間が所定のエンディング時間に達するまでの間、メイン液晶表示装置５等を用いたエンディング演出が行われる。
【０２００】
これに対して、メインＣＰＵ１０１は、上記ステップＳ６０８においてエンディング中であると判定した場合（ステップＳ６０８：ＹＥＳ）、図２９に示されるように、ステップＳ６２２の処理で計測を開始したエンディング時間が予め設定されたエンディング時間に達したか否かに基づいて、エンディング時間が経過したか否かを判定する（ステップＳ６２５）。ここで、エンディング時間が経過していないと判定された場合（ステップＳ６２５：ＮＯ）、ステップＳ７の大入賞口開放制御処理に処理が進められる。
【０２０１】
メインＣＰＵ１０１は、エンディング時間が経過したと判定した場合（ステップＳ６２５：ＹＥＳ）、小当たり遊技を終了させるために、メインＲＡＭ１０３に記憶されている小当たり遊技フラグを「ＯＦＦ」に設定する（ステップＳ６２６）。そして、メインＲＡＭ１０３に記憶されているＶ入賞フラグが「ＯＮ」に設定されているか否かを判定する（ステップＳ６２７）。ここで、Ｖ入賞フラグが「ＯＮ」に設定されていないと判定された場合（ステップＳ６２７：ＮＯ）、小当たり遊技中にＶ入賞口９２に遊技球が入賞しなかったと判断されて、ステップＳ７の大入賞口開放制御処理に処理が進められる。これにより、特別遊技が小当たり遊技のみで終了することになる。
【０２０２】
一方、メインＣＰＵ１０１は、Ｖ入賞フラグが「ＯＮ」に設定されていると判定した場合（ステップＳ６２７：ＹＥＳ）、Ｖ入賞フラグを「ＯＦＦ」に設定し（ステップＳ６２８）、小当たり遊技に続いて長開放ラウンド遊技を開始させるために、長当たり遊技フラグを「ＯＮ」に設定する（ステップＳ６２９）。そして、メインＣＰＵ１０１は、時短遊技フラグを「ＯＦＦ」に設定する（ステップＳ６３０）。
【０２０３】
［遊技制御基板１００による大入賞口開放制御処理］
以下、図３０を参照しつつ、遊技制御基板１００によって実行される大入賞口開放制御処理について説明する。ここで、図３０は、図１８のステップＳ７における大入賞口開放制御処理の詳細フローチャートである。
【０２０４】
メインＣＰＵ１０１は、ステップＳ６の特定領域開放制御処理に続いて、図３０に示されるように、長当たり遊技フラグが「ＯＮ」に設定されているか否かを判定する（ステップＳ７１）。ここで、長当たり遊技フラグが「ＯＮ」に設定されていると判定した場合（ステップＳ７１：ＹＥＳ）、長当たり遊技制御処理を実行する（ステップＳ７２）。この長当たり遊技制御処理については、図３１に基づいて後に詳述する。
【０２０５】
メインＣＰＵ１０１は、長当たり遊技フラグが「ＯＮ」に設定されていないと判定した場合（ステップＳ７１：ＮＯ）、短当たり遊技フラグが「ＯＮ」に設定されているか否かを判定する（ステップＳ７５）。ここで、短当たり遊技フラグが「ＯＮ」であると判定した場合（ステップＳ７５：ＹＥＳ）、短当たり遊技制御処理を実行する（ステップＳ７６）。なお、この短当たり遊技制御処理の詳細については省略する。短当たり遊技制御処理では、後に詳述する長当たり遊技処理と同様に大入賞口１３を開閉するための処理が行われるが、大入賞口１３の開放パターンが長当たり遊技とは異なり、１ラウンドにおける大入賞口１３の開放時間が短い（例えば、０．２秒）。このため、遊技者は、長当たりでは大量の賞球が得られるのに対して、短当たりでは殆ど賞球を得られないか、少量の賞球しか得ることができない。
【０２０６】
このステップＳ７６の処理が実行された場合、ステップＳ７２の処理が実行された場合、又は短当たり遊技フラグが「ＯＮ」に設定されていないと判定された場合（ステップＳ７５：ＮＯ）、一連の大入賞口開放制御処理が終了してステップＳ８の賞球処理に処理が進められる。
【０２０７】
［遊技制御基板１００による長当たり遊技制御処理］
図３１は、図３０のステップＳ７２における長当たり遊技制御処理の詳細フローチャートである。この長当たり遊技制御処理は、上述した長開放ラウンド遊技からなる長当たり遊技を実現するための処理である。
【０２０８】
メインＣＰＵ１０１は、長当たり遊技フラグが「ＯＮ」に設定されていると判定した場合（ステップＳ７１：ＹＥＳ）、図３１に示されるように、例えばステップＳ３２０３の処理によってオープニングコマンドをセットしてからの経過時間に基づいて、長当たり遊技のオープニング中であるか否かを判定する（ステップＳ７２１）。ここで、オープニング中であると判定した場合（ステップＳ７２１：ＹＥＳ）、上記経過時間が所定のオープニング時間に達したか否かに基づいて、オープニング時間が経過したか否かを判定する（ステップＳ７２２）。ここで、オープニング時間が経過していないと判定された場合（ステップＳ７２２：ＮＯ）、ステップＳ８の賞球処理に処理が進められる。
【０２０９】
メインＣＰＵ１０１は、オープニング時間が経過したと判定した場合（ステップＳ７２２：ＹＥＳ）、停止表示した大当たり図柄（あるいは小当たり図柄）に応じて、特別遊技のラウンド数Ｒｍａｘ、大入賞口制御部１１６の動作パターン等の情報をメインＲＡＭ１０３に格納する（ステップＳ７２３）。このステップＳ７２３の処理が実行されることによって、ラウンドと次のラウンドとの間のインターバル時間、最終ラウンド終了後のエンディング時間等の長当たり遊技に関する各種時間も併せて設定される。
【０２１０】
ステップＳ７２３の処理に続いて、メインＣＰＵ１０１は、メインＲＡＭ１０３に記憶されている大入賞口１３への遊技球の入賞数Ｙをリセットし（ステップＳ７２４）、同じくメインＲＡＭ１０３に記憶されている長当たり遊技中のラウンド数Ｒを「１」加算した値に更新する（ステップＳ７２５）。このラウンド数Ｒは、長当たり遊技開始前は「０」に設定されており、ステップＳ７２５の処理が行われる毎に「１」ずつ加算される。
【０２１１】
ステップＳ７２５の処理に続いて、メインＣＰＵ１０１は、大入賞口制御部１１６による大入賞口１３の開放制御を開始し（ステップＳ７２６）、この開放制御が開始されてからの経過時間である開放時間の計測を開始する（ステップＳ７２７）。そして、長開放ラウンド遊技が開始されたことを通知するラウンド開始コマンドをメインＲＡＭ１０３にセットする（ステップＳ７２８）。このステップＳ７２８の処理が行われると、後述するステップＳ７３５に処理が進められる。
【０２１２】
メインＣＰＵ１０１は、長当たり遊技におけるオープニング中ではないと判定した場合（ステップＳ７２１：ＮＯ）、例えばメインＲＡＭ１０３に記憶されている現在の状態が長当たり遊技におけるどの時点であるかを示す情報に基づいて、最終ラウンド終了直後のエンディング中であるか否かを判定する（ステップＳ７２９）。ここで、エンディング中であると判定された場合（ステップＳ７２９：ＹＥＳ）、後述するステップＳ７４４に処理が進められる。
【０２１３】
メインＣＰＵ１０１は、長当たり遊技におけるエンディング中ではないと判定した場合（ステップＳ７２９：ＮＯ）、例えばメインＲＡＭ１０３に記憶されている現在の状態が長当たり遊技におけるどの時点であるかを示す情報に基づいて、インターバル中（ラウンドと次のラウンドとの間）であるか否かを判定する（ステップＳ７３０）。ここで、インターバル中であると判定した場合（ステップＳ７３０：ＹＥＳ）、前回のラウンド終了時に大入賞口１３が閉塞してから、ステップＳ７２３の処理によって設定されたインターバル時間が経過したか否かを判定する（ステップＳ７３１）。ここで、インターバル時間が経過したと判定された場合（ステップＳ７３１：ＹＥＳ）、次のラウンドを開始するタイミングになっているため、上記ステップＳ７２４に処理が進められる。逆に、インターバル時間が経過していないと判定された場合（ステップＳ７３１：ＮＯ）、ステップＳ８の賞球処理に処理が進められる。
【０２１４】
一方、メインＣＰＵ１０１は、インターバル中ではないと判定した場合（ステップＳ７３０：ＮＯ）、ラウンド中であると判断して、大入賞口スイッチ１１５からの検知信号の入力の有無に基づいて、大入賞口スイッチ１１５が「ＯＮ」になったか否かを判定する（ステップＳ７３３）。ここで、大入賞口スイッチ１１５が「ＯＮ」になったと判定した場合（ステップＳ７３３：ＹＥＳ）、大入賞口１３に１個の遊技球が入賞したと判断して、メインＲＡＭ１０３に記憶されている遊技球の入賞数Ｙを「１」加算した値に更新する（ステップＳ７３４）。
【０２１５】
メインＣＰＵ１０１は、ステップＳ７２８の処理を実行した場合、ステップＳ７３４の処理を実行した場合、又は大入賞口スイッチ１１５が「ＯＮ」ではないと判定した場合（ステップＳ７３３：ＮＯ）、大入賞口１３の開放開始から規定開放時間が経過したか否かを判定する（ステップＳ７３５）。具体的には、上記ステップＳ７２７の処理によって計測が開始された開放時間が、予めメインＲＯＭ１０２に記憶されている規定開放時間（本実施形態では２９秒）に達したか否かを判定する。なお、短当たり遊技においては、当該規定開放時間が、例えば０．２秒に設定される。
【０２１６】
メインＣＰＵ１０１は、規定開放時間が経過していないと判定した場合（ステップＳ７３５：ＮＯ）、メインＲＡＭ１０３に記憶されている今回のラウンドにおける遊技球の入賞数Ｙが、予めメインＲＯＭ１０２に記憶されている大入賞口１３の閉塞タイミングを規定する遊技球数Ｙｍａｘ（例えば「９」）と一致するか否かを判定する（ステップＳ７３６）。ここで、入賞数Ｙが遊技球数Ｙｍａｘと一致しないと判定された場合（ステップＳ７３６：ＮＯ）、ステップＳ８の賞球処理に処理が進められる。
【０２１７】
一方、メインＣＰＵ１０１は、入賞数Ｙが遊技球数Ｙｍａｘと一致すると判定した場合（ステップＳ７３６：ＹＥＳ）、又は規定開放時間が経過したと判定した場合（ステップＳ７３５：ＹＥＳ）、大入賞口制御部１１６に大入賞口１３の開放制御を終了させる（ステップＳ７３７）。
【０２１８】
ステップＳ７３７の処理に続いて、メインＣＰＵ１０１は、メインＲＡＭ１０３に記憶されている長当たり遊技の現在のラウンド数Ｒが、上記ステップＳ７２３の処理によって設定されたラウンド数Ｒｍａｘと一致するか否かを判定する（ステップＳ７３８）。ここで、ラウンド数Ｒがラウンド数Ｒｍａｘと一致しないと判定した場合（ステップＳ７３８：ＮＯ）、次のラウンドの開始タイミングを制御するために、大入賞口１３が閉塞されてからの経過時間であるインターバル時間の計測を開始する（ステップＳ７３９）。このステップＳ７３９の処理によって計測が開始されたインターバル時間は、上記ステップＳ７３１の処理に使用される。なお、このステップＳ７３９の処理が実行された場合、ステップＳ８の賞球処理に処理が進められる。
【０２１９】
一方、メインＣＰＵ１０１は、ラウンド数Ｒがラウンド数Ｒｍａｘと一致すると判定した場合（ステップＳ７３８：ＹＥＳ）、エンディング時間の計測を開始し（ステップＳ７４０）、メインＲＡＭ１０３に記憶されているラウンド数Ｒをリセットし（ステップＳ７４１）、エンディングコマンドをメインＲＡＭ１０３にセットする（ステップＳ７４２）。このエンディングコマンドは、大入賞口１３の最後の開放が終了したことを通知するコマンドであり、ステップＳ９の送信処理によって演出制御基板１３０に送信される。
【０２２０】
メインＣＰＵ１０１は、ステップＳ７４２の処理を実行した場合、又はエンディング中であると判定した場合（ステップＳ７２９：ＹＥＳ）、エンディング時間が経過したか否かを判定する（ステップＳ７４４）。具体的には、上記ステップＳ７４０の処理によって計測を開始したエンディング時間が、上記ステップＳ７２３の処理によって設定された設定エンディング時間に達したか否かを判定する。ここで、エンディング時間が経過していないと判定された場合（ステップＳ７４４：ＮＯ）、ステップＳ８の賞球処理に処理が進められる。
【０２２１】
メインＣＰＵ１０１は、エンディング時間が経過したと判定した場合（ステップＳ７４４：ＹＥＳ）、長当たり遊技終了後のパチンコ遊技機１の遊技状態を設定する遊技状態設定処理を実行する（ステップＳ７４５）。そして、長当たり遊技を終了させるために、長当たり遊技フラグを「ＯＦＦ」に設定する（ステップＳ７４６）。
【０２２２】
［遊技制御基板１００による遊技状態設定処理］
図３２は、図３１のステップＳ７４５における遊技状態設定処理の詳細フローチャートである。この遊技状態設定処理は、長当たり遊技又は短当たり遊技が終了した後のパチンコ遊技機１の遊技状態を通常遊技状態又は時短遊技状態に設定するための処理である。
【０２２３】
まず、メインＣＰＵ１０１は、例えば長当たり遊技フラグ及び短当たり遊技フラグのいずれが「ＯＮ」に設定されているかに基づいて、今回行われた特別遊技が長当たり遊技であるか否かを判定する（ステップＳ７４５１）。ここで、長当たり遊技ではないと判定した場合（ステップＳ７４５１：ＮＯ）、すなわち、短当たり遊技フラグが「ＯＮ」に設定されている場合、ステップＳ７４５２に処理が進められる。
【０２２４】
本実施形態では、第１特別図柄判定の結果が突然時短当たりとなった場合にのみ短当たり遊技が行われるので、短当たり遊技が行われた後に、必ず時短が付与される。このため、メインＣＰＵ１０１は、ステップＳ７４５２において、時短遊技フラグを「ＯＮ」に設定する。そして、メインＣＰＵ１０１は、時短遊技残余回数Ｗを「１００」に設定する（ステップＳ７４５３）。
【０２２５】
一方、メインＣＰＵ１０１は、長当たり遊技であると判定した場合（ステップＳ７４５１：ＹＥＳ）、今回の長当たり遊技が小当たり遊技に続く長当たり遊技であるか否かを判定する（ステップＳ７４５４）。本実施形態では、小当たり遊技に続いて長当たり遊技が行われる場合、すなわち２種大当たりの場合、ステップＳ６２９（図２９参照）の処理によって長当たり遊技フラグが「ＯＮ」に設定される。これに対して、小当たり遊技が行われずに長当たり遊技のみが行われる場合、すなわち１種大当たりの場合、ステップＳ３１９３（図２５参照）によって長当たり遊技フラグが「ＯＮ」に設定される。このため、どちらの処理ステップによって長当たり遊技フラグが「ＯＮ」に設定されたかに基づいて、今回の長当たり遊技が小当たり遊技に続く長当たり遊技であるか否かを判定することができる。
【０２２６】
メインＣＰＵ１０１は、小当たり遊技に続く長当たり遊技ではないと判定した場合（ステップＳ７４５４：ＮＯ）、長当たり遊技開始時に第１特別図柄表示器４１又は第２特別図柄表示器４２に停止表示された大当たり図柄に基づいて、長当たり遊技終了後の時短の有無を判定する（ステップＳ７４５５）。逆に、小当たり遊技に続く長当たり遊技であると判定した場合（ステップＳ７４５４：ＹＥＳ）、小当たり遊技開始時に第２特別図柄表示器４２に停止表示された小当たり図柄に基づいて、長当たり遊技終了後の時短の有無を判定する（ステップＳ７４５６）。
【０２２７】
そして、メインＣＰＵ１０１は、ステップＳ７４５５又はステップＳ７４５６の判定結果が時短ありであるか否かを判定し（ステップＳ７４５７）、時短ありと判定した場合には（ステップＳ７４５７：ＹＥＳ）、上記ステップＳ７４５２及びステップＳ７４５３の処理を実行する。これにより、長当たり遊技が終了してから１００回の特別図柄判定が実行されるまでの間、第２始動口１２が開放され易い時短遊技状態で遊技が制御されることになる。これに対して、時短なしと判定された場合（ステップＳ７４５７：ＮＯ）、ステップＳ７４５２及びステップＳ７４５３の処理が行われないので、長当たり遊技が終了した後は、第２始動口１２が開放され難い通常遊技状態で遊技が制御されることになる。以上で図３２に示す遊技状態設定処理が終了する。
【０２２８】
［演出制御基板１３０によるタイマ割込み処理］
次に、演出制御部による演出制御について説明する。パチンコ遊技機１の電源が投入されると、演出制御基板１３０のサブＣＰＵ１３１は、後述するタイマ割込み処理を行う周期であるＣＴＣ周期を設定する。そして、サブＣＰＵ１３１は、演出内容を決定するために用いられる演出乱数等の各種乱数を更新する乱数更新処理をＣＴＣ周期よりも短い所定周期で繰り返す。すなわち、サブＣＰＵ１３１は、パチンコ遊技機１が起動している間、所定周期で乱数更新処理を繰り返しつつ、ＣＴＣ周期でタイマ割込み処理を繰り返す。
【０２２９】
以下、図３３を参照しつつ、演出制御基板１３０において実行されるタイマ割込み処理について説明する。ここで、図３３は、演出制御基板１３０において実行されるタイマ割込み処理の一例を示すフローチャートである。サブＣＰＵ１３１は、遊技制御基板１００で行われるタイマ割込み処理と同様に、図３３に例示されている一連の処理を一定時間（例えば４ミリ秒）毎に繰り返し実行する。なお、図３３のフローチャートに基づいて説明する演出制御基板１３０で行われる処理は、サブＲＯＭ１３２に記憶されているプログラムに基づいてサブＣＰＵ１３１が発行する命令に従って行われる。
【０２３０】
サブＣＰＵ１３１は、まず、コマンド処理を実行する（ステップＳ１０）。コマンド処理は、遊技制御基板１００からのコマンドを受信したことに応じて、演出を実行する処理である。具体的には、サブＣＰＵ１３１は、遊技制御基板１００から遊技情報としてのコマンドを受信し、受信したコマンドに応じて、演出の実行を指示するコマンドを画像音響制御基板１４０及びランプ制御基板１５０に送信する。これによって演出が実行される。このコマンド処理の詳細については、図３４に基づいて後に詳述する。
【０２３１】
ステップＳ１０の処理に続いて、サブＣＰＵ１３１は、演出ボタン２６又は演出キー２７からの操作情報の入力の有無に基づいて、演出ボタン２６又は演出キー２７が操作されたか否かを判定する（ステップＳ１１）。ここで、演出ボタン２６又は演出キー２７が操作されたと判定した場合（ステップＳ１１：ＹＥＳ）、その旨を通知するための操作コマンドをサブＲＡＭ１３３にセットする（ステップＳ１２）。この操作コマンドが、ステップＳ１０のコマンド処理が実行されることによって、画像音響制御基板１４０及びランプ制御基板１５０へ送信される。これにより、演出ボタン２６又は演出キー２７の操作に応じた演出上の効果を実現するための処理が行われる。
【０２３２】
［演出制御部によるコマンド処理］
以下、図３４〜図３６を参照しつつ、演出制御部によって実行されるコマンド処理（演出実行処理）について説明する。上述のように演出制御基板１３０が遊技制御基板１００からのコマンドを受信し、受信したコマンドに応じて、演出制御基板１３０は、画像音響制御基板１４０及びランプ制御基板１５０に演出の実行を指示するコマンドを送信する（ステップＳ１０）。このように、演出制御基板１３０、画像音響制御基板１４０及びランプ制御基板１５０による協働によって、演出が実行される。以下では、演出制御基板１３０、画像音響制御基板１４０及びランプ制御基板１５０を総称した演出制御部が、コマンド処理を実行するものとして説明する。ここで、図３４は、図３３のステップＳ１０におけるコマンド処理の詳細フローチャートである。
【０２３３】
まず、演出制御部は、遊技制御基板１００から送信された保留コマンドを受信したか否かを判定する（ステップＳ１３０１）。ここで、保留コマンドを受信していないと判定された場合（ステップＳ１３０１：ＮＯ）、後述するステップＳ１３０６に処理が進められる。
【０２３４】
演出制御部は、保留コマンドを受信したと判定した場合（ステップＳ１３０１：ＹＥＳ）、当該受信した保留コマンドを解析する（ステップＳ１３０２）。保留コマンドには、特別図柄判定の結果に関する情報や特別図柄の変動パターン（変動時間）等の事前判定情報が含まれる。ここでは、保留コマンドに含まれる事前判定情報を取得して解析することにより、この保留に係る特別図柄判定の結果や変動パターンを判定し、当該判定結果を記憶する。
【０２３５】
ステップＳ１３０２に続いて、演出制御部は、保留数を加算する（ステップＳ１３０３）。保留数を加算した後、演出制御部は、先読み予告演出判定処理を行う（ステップＳ１３０４）。先読み予告演出判定処理は、上述した装飾図柄の停止態様による先読み予告演出を実行するか否かを判定し、先読み予告演出を実行すると判定した場合に装飾図柄の停止態様を決定する処理である。
【０２３６】
以下、図３５を参照してステップＳ１３０４の先読み予告演出判定処理について説明する。図３５は、図３４のステップＳ１３０４の先読み予告演出判定処理の詳細フローチャートである。
【０２３７】
図３５に示すように、演出制御部は、まず、先読みフラグがＯＮか否かを判定する（ステップＳ１３２１）。先読みフラグは、先読み予告演出（連続予告演出）が実行中か否かを判定するためのフラグであり、先読み予告演出を実行すると判定された場合にＯＮに設定されるフラグである。先読みフラグがＯＮである場合（ステップＳ１３２１：ＹＥＳ）、既に先読み予告演出が行われているため、演出制御部は図３５の処理を終了する。
【０２３８】
一方、先読みフラグがＯＮでない場合（ステップＳ１３２１：ＮＯ）、演出制御部は、先読み判定を行う（ステップＳ１３２２）。ここでは、先読み予告演出を実行するか否かを判定する。
【０２３９】
具体的には、ステップＳ１３２２において、演出制御部は、保留数、ステップＳ１３０２の保留コマンドの解析結果、および、この処理が行われるまでに既に保留されていた特別図柄判定の結果に基づいて、先読み予告演出を実行するか否かを判定する。より具体的には、演出制御部は、ステップＳ１３０２の保留コマンドの解析結果に基づいて、今回増加した保留に係る特別図柄判定の結果が大当たりか否か、大当たりの種類、変動パターン（変動時間）、リーチの有無を判別する。また、演出制御部は、既に保留されている特別図柄判定において大当たりが存在するか否かを判別する。そして、演出制御部は、これらの判別結果に基づいて、先読み予告演出を実行するか否かの判定を行う。例えば、演出制御部は、既に保留されている特別図柄判定において大当たりが存在する場合、先読み予告演出を実行しないと判定する。また、演出制御部は、既に保留されている特別図柄判定において大当たりが存在しない場合、今回増加した保留に係る特別図柄判定の結果および変動パターンに基づく抽選を行うことにより、先読み予告演出を実行するか否かを判定する。このようにして、今回増加した保留に係る特別図柄判定が大当たりである場合は、先読み予告演出を行うと判定される確率が高くなり、ハズレである場合は先読み予告演出を行うと判定される確率が低くなる。
【０２４０】
ステップＳ１３２２の処理の結果、先読み予告演出を実行しないと判定した場合（ステップＳ１３２３：ＮＯ）、演出制御部は、図３５の先読み予告演出判定処理を終了する。
【０２４１】
一方、先読み予告演出を実行すると判定した場合（ステップＳ１３２３：ＹＥＳ）、演出制御部は、停止パターンを決定する（ステップＳ１３２４）。ここでは、演出制御部は、今回増加した保留より前に消化される保留に対して、装飾図柄５１をどのようなパターンで停止させるかを決定する。
【０２４２】
具体的には、演出制御部は、保留数、今回増加した保留に係る特別図柄判定の結果および変動パターン等に基づいて、装飾図柄の停止パターンを決定する。すなわち、演出制御部は、各変動において、どのような停止態様で装飾図柄５１を停止させるかを決定する。より具体的には、演出制御部はまず、保留数に基づいて、装飾図柄５１の停止態様による先読み予告演出を行う期間（変動回数）を算出する。ここでは、現在の変動を除いて、上記ステップＳ１３０３で加算した保留数から１を減算した値を、先読み予告演出を行う期間として算出する。
【０２４３】
なお、演出制御部は、保留数と現在変動中の特別図柄が停止するまでの時間とに基づいて、現在の変動も含めて先読み予告演出を行う期間として算出してもよい。現在変動中の特別図柄が停止するまでの時間は、当該変動が開始された時点の変動パターンと変動開始からの経過時間とに基づいて算出することができる。現在変動中の特別図柄が停止するまでの時間が所定以上である場合、演出制御部は、現在の変動を含めて先読み予告演出を行ってもよい。現在の変動を含めて先読み予告演出を行う場合は、現在変動中の特別図柄が停止する際の装飾図柄５１の停止態様を、後述する図３６のステップＳ１３３６で既に決定した態様から、このステップＳ１３２４の処理で決定した態様に変更する。
【０２４４】
ステップＳ１３２４においては、演出制御部は、今回増加した保留（先読み対象）に係る特別図柄判定の結果および変動パターンに基づいて、この保留が消化される１つ前の特別図柄の変動（先読み対象の１つ前の変動：図８の保留３）までの各変動における装飾図柄の停止態様を決定する。例えば、演出制御部には、先読み予告演出を行う際に、各変動における停止態様を決定するためのテーブルが複数用意されている。演出制御部は、先読み予告演出を行う期間に応じたテーブルを選択肢、当該テーブルを用いて、先読み対象の特別図柄判定の結果に基づいて抽選を行うことにより、先読み予告演出を開始する変動から先読み対象の１つ前の変動までの各変動における装飾図柄の停止態様を決定する。
【０２４５】
図３７は、先読み予告演出の装飾図柄の停止態様を決定するために用いられるテーブルの一例であり、２回の変動において先読み予告演出が行われる際に用いられるテーブルである。演出制御部は、先読み予告演出を行う期間として２回の変動を決定した場合、図３７に示すテーブルを選択する。図３７に示すように、２回の変動において先読み予告演出が行われる場合、先読み対象の２つ前の変動（１変動目）において青図柄で停止し、１つ前の変動（２変動目）において青図柄で停止する停止パターンがある。また、例えば、２つ前の変動において緑図柄で停止し、１つ前の変動において赤図柄で停止する停止パターンがある。演出制御部は、これらの停止パターンの中から何れかのパターンを選択する。
【０２４６】
図３８は、先読み予告演出の装飾図柄の停止態様を決定するために用いられるテーブルの一例であり、３回の変動において先読み予告演出が行われる際に用いられるテーブルである。演出制御部は、先読み予告演出を行う期間として３回の変動を決定した場合、図３８に示すテーブルを選択する。図３８に示すように、３回の変動において先読み予告演出が行われる場合、先読み対象の３つ前の変動（１変動目）において青図柄で停止し、２つ前の変動（２変動目）において青図柄で停止し、１つ前の変動（３変動目）において青図柄で停止する停止パターンがある。また、例えば、３つ前の変動において緑図柄で停止し、２つ前の変動において赤図柄で停止し、１つ前の変動において金図柄で停止する停止パターンがある。
【０２４７】
なお、図３７および図３８に示すテーブルの他に、演出制御部は、１回の変動において先読み予告演出を行う際に用いられるテーブルを記憶している。
【０２４８】
上述のように、これらの停止図柄（図柄の種別）は、先読み対象の変動における大当たりに対する信頼度を表している。例えば、先読み対象の１つ前の変動において金図柄で停止した場合は、先読み対象の変動において信頼度が６０％（大当たりとなる確率が６０％）のリーチ演出が行われる。また、例えば、赤図柄の場合は、信頼度が４０％のリーチ演出が行われる。すなわち、装飾図柄５１の停止態様は、その後に行われる特別図柄判定において大当たりとなる可能性を示唆するものであり、その後に行われる変動演出を示唆するものである。なお、これらの停止図柄によって、大当たりの種類も示唆される。例えば、特別図柄判定の結果が時短遊技状態への移行を伴う大当たりである場合、先読み対象の１つ前の変動における停止態様として、金図柄を含む態様が高い確率で決定される。
【０２４９】
このようにして、現在の変動の次の変動（保留１）から先読み対象の１つ前の変動（保留３）までの期間における各変動の装飾図柄５１の停止態様が、先読み対象の変動（保留４）に近づくにつれてその信頼度が高くなるように決定される。
【０２５０】
ステップＳ１３２４に続いて、演出制御部は、先読みフラグをＯＮに設定する（ステップＳ１３２５）。先読みフラグをＯＮに設定した後、演出制御部は、図３５の処理を終了して図３４に処理を戻す。
【０２５１】
図３４に戻り、演出制御部は、受信した保留コマンドに対応する保留アイコン５２をメイン液晶表示装置５に表示させる（ステップＳ１３０５）。ここでは、演出制御部は、既に保留アイコン５２がメイン液晶表示装置５に表示されている場合は、その表示されている保留アイコン５２の左側に新たに保留アイコン５２を表示させる。この場合において、演出制御部は、新たに増加させた保留アイコン５２の表示態様を、他の保留アイコン５２と異なるようにしてもよい。
【０２５２】
ステップＳ１３０５に続いて、演出制御部は、遊技制御基板１００から変動開始コマンドを受信したか否かを判定する（ステップＳ１３０６）。ここで、変動開始コマンドを受信していないと判定された場合（ステップＳ１３０６：ＮＯ）、後述するステップＳ１３１１の処理が実行される。
【０２５３】
演出制御部は、変動開始コマンドを受信したと判定した場合（ステップＳ１３０６：ＹＥＳ）、その変動開始コマンドを解析する（ステップＳ１３０７）。
【０２５４】
この変動開始コマンドには、上述したように、大当たり判定処理の判定結果を示す判定図柄の設定情報、リーチ有り演出とリーチ無し演出のどちらの演出を行うかを示す設定情報、変動パターンの設定情報、パチンコ遊技機１の遊技状態を示す情報等が含まれている。したがって、変動開始コマンドを解析することによって、特別図柄判定の結果を特定し、リーチ有り演出とリーチ無し演出のどちらを行う必要があるのかを判断し、特別図柄の変動パターン（変動時間）を特定し、パチンコ遊技機１の遊技状態を特定することが可能である。
【０２５５】
ステップＳ１３０７に続いて、演出制御部は、保留数を減算し（ステップＳ１３０８）、変動演出決定処理を実行する（ステップＳ１３０９）。変動演出決定処理では、演出制御部は、ステップＳ１３０７の解析結果に基づいて、当該変動における演出の内容および装飾図柄５１の停止態様を決定する。
【０２５６】
以下、図３６を参照してステップＳ１３０９の変動演出決定処理について説明する。図３６は、図３４のステップＳ１３０９の変動演出決定処理の詳細フローチャートである。
【０２５７】
図３６に示すように、演出制御部は、まず、演出内容を決定する（ステップＳ１３３１）。ここでは、変動開始コマンドの解析結果に基づいて、装飾図柄５１の変動表示に伴って行われる演出を決定する。すなわち、演出制御部は、複数の演出の中から変動パターン（変動時間）に対応する演出を選択する。
【０２５８】
ステップＳ１３３１に続いて、演出制御部は、先読みフラグがＯＮか否かを判定する（ステップＳ１３３２）。先読みフラグがＯＮでない場合（ステップＳ１３３２：ＮＯ）、演出制御部は、次にステップＳ１３３６の処理を実行する。
【０２５９】
一方、先読みフラグがＯＮである場合（ステップＳ１３３２：ＹＥＳ）、演出制御部は、今回の変動が先読み対象の変動か否かを判定する（ステップＳ１３３３）。すなわち、演出制御部は、受信した変動開始コマンドに対応する変動が、上記ステップＳ１３２５において先読みフラグをＯＮにさせた保留に対応する変動であるか否かを判定する。先読み対象の変動である場合（ステップＳ１３３３：ＹＥＳ）、演出制御部は、先読みフラグをＯＦＦにして（ステップＳ１３３５）、ステップＳ１３３６の処理を実行する。
【０２６０】
先読み対象の変動でない場合（ステップＳ１３３３：ＮＯ）、演出制御部は、上記ステップＳ１３２４で決定された停止パターンに基づいて、この変動が停止する場合の装飾図柄５１の停止態様を決定する（ステップＳ１３３４）。ここでは、演出制御部は、今回の変動における装飾図柄５１の停止態様を、既にステップＳ１３２４で決定されていた停止態様に設定する。例えば、ステップＳ１３２４において先読み対象の１回前の変動における装飾図柄５１の停止態様が赤図柄と決定されており、かつ、今回の変動が先読み対象の１回前の変動である場合、演出制御部は、今回の変動における装飾図柄５１の停止態様を赤図柄に設定する。
【０２６１】
一方、ステップＳ１３３２でＮＯと判定された場合、または、ステップＳ１３３５の処理が行われた場合、演出制御部は、ステップＳ１３３６の処理を実行する。ステップＳ１３３６では、演出制御部は、受信した変動開始コマンドに基づいて今回の変動における装飾図柄５１の停止態様を決定する。ここでは、先読み予告演出が行われていないか、または、先読み対象の変動であるため、受信した変動開始コマンド（大当たりか否かの情報、大当たりの種類の情報、変動パターン等）に基づいて、今回の変動における装飾図柄５１の停止態様を決定する。
【０２６２】
ステップＳ１３３４の処理またはステップＳ１３３６の処理の後、演出制御部は、図３６に示す変動演出決定処理を終了し、処理を図３４に戻す。
【０２６３】
図３４に戻り、演出制御部は、ステップＳ１３０９で決定した変動演出を開始する（ステップＳ１３１０）。これにより、装飾図柄５１がメイン液晶表示装置５において変動表示されるとともに、所定の演出（キャラクタ等による演出）が行われる。
【０２６４】
一方、変動開始コマンドを受信しなかった場合（ステップＳ１３０６：ＮＯ）、演出制御部は、変動停止コマンドを受信したか否かを判定する（ステップＳ１３１１）。変動停止コマンドを受信した場合（ステップＳ１３１１：ＹＥＳ）、演出制御部は、装飾図柄の停止処理を行う（ステップＳ１３１２）。
【０２６５】
このステップＳ１３１２の処理によって、メイン液晶表示装置５において、装飾図柄５１が停止表示される。具体的には、先読み予告演出を実行中である場合、上記ステップＳ１３０４の先読み予告演出判定処理（具体的には上記ステップＳ１３２４）において決定された態様で装飾図柄５１が停止表示される。また、先読み予告演出を実行中でない場合、または、先読み対象の変動である場合は、上記ステップＳ１３３６で決定された態様で装飾図柄５１が停止表示される。
【０２６６】
ステップＳ１３１０の処理が行われた場合、ステップＳ１３１１でＮＯと判定された場合、またはステップＳ１３１２の処理が行われた場合、演出制御部は、図３４に示す処理を終了する。
【０２６７】
なお、演出制御部は、上述した処理に加えて、遊技制御基板１００からオープニングコマンド、ラウンド開始コマンド、エンディングコマンド、客待ちコマンド等を受信し、受信したコマンドに応じた処理を実行する。これらの処理の詳細については説明を省略する。
【０２６８】
以上のように、演出制御部は、遊技制御基板１００からの保留コマンドを受信したことに応じて、先読み判定を行い、先読み判定の対象となった保留が消化される前の変動における装飾図柄の停止態様を、先読み判定の結果に基づいて決定する。
【０２６９】
［本実施形態の作用効果］
以上説明したように、本実施形態のパチンコ遊技機１では、特別図柄の変動中に第１始動口１１に遊技球が入賞した場合、先読み予告演出を行うか否かが判定され、先読み予告演出を行うと判定された場合、当該先読み対象の前の変動において、特定の図柄配列で装飾図柄５１を停止表示させる。このため、装飾図柄５１の停止態様によって、次以降の変動において大当たりとなることへの期待感を遊技者に抱かせることができる。
【０２７０】
また、本実施形態では、特定の図柄配列として、青図柄、緑図柄、赤図柄等、複数の態様があり、これらは先読み対象の変動において大当たりとなる信頼度が異なるように構成された。そして、複数の連続する変動において、先読み予告演出の開始から先読み対象の変動までの間、段階的に信頼度が上昇するように装飾図柄５１を停止させた。これにより、先読み対象の変動において大当たりとなることに対する期待感を高めることができる。すなわち、信頼度が異なる停止態様が複数あり、段階的に信頼度が上昇するように装飾図柄が順次停止されることによって、最初に信頼度の低い態様で停止した場合であっても、それ以降にどのような態様で停止するかについての期待が持てる。また、順次信頼度の高い態様で装飾図柄を停止させることにより、期待感を段階的に高めていくことができる。本実施形態では、例えば、装飾図柄５１がハズレの態様で停止した場合（１変動目）であっても、その次の変動（２変動目）において大当たりとなることへの期待感を持たせつつ、その変動においてハズレになってもその停止態様によっては、さらにその次の変動（３変動目）に対する期待感をより高めることができる。さらに、３変動目でハズレであっても、その停止態様によっては４変動目に対する期待感をさらに高めることができる。このように、本実施形態では、各変動において期待を持たせつつ、次以降の変動における高い期待を持たせることができる。
【０２７１】
また、本実施形態では、特定のハズレ図柄で装飾図柄を停止させることによって先読み予告演出を行うため、ハズレとなった場合でも、遊技者の期待感を高めることができる。すなわち、ハズレ図柄が停止されても、そのハズレ図柄の態様によっては以降の変動において大当たりとなることに対する期待感を高めることができる。
【０２７２】
［変形例］
なお、本発明は上記実施形態に限定されるものではなく、例えば以下の形態であってもよい。
【０２７３】
例えば、上記実施形態では、同種の図柄が停止された場合に先読みであることを報知した。他の実施形態では、先読み予告演出を示す図柄配列（停止態様）はどのようなものでもよい。例えば、それぞれ信頼度が異なる先読みを示す特別な装飾図柄が複数用意され、特別な図柄が所定の領域に少なくとも１つ停止された場合に、先読みであることを示してもよい。そして、これらが段階的に停止されて、先読み予告演出が行われてもよい。
【０２７４】
また、上記実施形態では、特定の図柄配列（例えば、青図柄）が停止した場合は、先読み予告演出であることを意味したが、先読み予告演出でない場合であっても同じ図柄配列で停止させてもよい。この場合、先読み予告演出のときと、先読み予告演出でないときとでは、同じ図柄配列であっても異なる態様で表示させたり、効果音による演出を伴わせることで、これらを区別してもよい。
【０２７５】
また、上記実施形態では、特定の図柄配列（例えば、青図柄）で装飾図柄５１を停止させ、その次の変動においてこれよりも信頼度の高い図柄配列（例えば、赤図柄）で装飾図柄５１を停止させた。すなわち、先読み予告演出を行う間、信頼度が段階的に上昇するように、装飾図柄５１の停止態様を決定した。他の実施形態では、先読み予告演出を行う間、段階的に信頼度が下がるように装飾図柄５１の停止態様が決定されてもよい。
【０２７６】
また、上記実施形態では、先読み対象の保留が消化されるまでの連続する変動において予告演出（連続予告演出）を行った。他の実施形態では、必ずしも連続して予告演出が行われる必要はなく、間欠的に予告演出が行われてもよい。例えば、保留４が先読み対象である場合、保留１の変動において予告演出を行い、保留２の変動では行わずに、保留３の変動において予告演出を行ってもよい。
【０２７７】
また、上記実施形態では、液晶表示装置を用いて装飾図柄を変動表示させたが、他の実施形態では、ドラムを機械的に回転させることで装飾図柄を変動表示させてもよい。
【０２７８】
また、上記実施形態では１種２種混合タイプのパチンコ遊技機を想定したが、このタイプに限らず、他の任意のタイプのパチンコ遊技機にも本発明は適用可能である。
【０２７９】
また、上記実施形態において説明したパチンコ遊技機１の構成は単なる一例に過ぎず、他の構成であっても本発明を実現できることは言うまでもない。また、上述したフローチャートにおける処理の順序、設定値、判定に用いられる閾値等は単なる一例に過ぎず、本発明の範囲を逸脱しなければ他の順序や値であっても、本発明を実現できることは言うまでもない。
【０２８０】
また、上記実施形態では、本発明がパチンコ遊技機に適用された場合を例に説明したが、本発明は、例えばスロットマシン等の他の遊技機にも適用可能である。
【０２８１】
以上のように、本発明では、以下に示す構成の遊技機であってもよい。
【０２８２】
本発明の遊技機は、所定の始動領域への遊技球の入賞に応じて、当たりか否かの当たり判定を行う当たり判定手段と、前記始動領域への遊技球の入賞に応じて、当該入賞した遊技球に対する前記当たり判定の権利を複数保留する保留記憶手段と、前記保留記憶手段に保留された前記当たり判定の権利を消化させるとともに、所定の図柄（特別図柄）を図柄表示手段に変動表示させてから停止表示させることにより、当該当たり判定の権利に対する当たり判定の結果を表示する図柄表示制御手段と、前記保留記憶手段に保留された前記当たり判定の権利に対して事前判定を行う事前判定手段と、前記所定の図柄に対応する演出図柄（装飾図柄５１）を、前記所定の図柄の変動表示が開始されたことに応じて変動させ、前記所定の図柄が停止表示されたことに応じて停止表示させる演出図柄制御手段と、を備え、前記演出図柄制御手段は、前記事前判定の対象となった前記当たり判定の権利に係る前記所定の図柄の変動の少なくとも２回前の変動において、前記所定の図柄が停止された場合に、前記事前判定の結果に基づいて決定された第１の態様（青図柄）で前記演出図柄を停止表示させることが可能であり、かつ、前記第１の態様で停止表示された変動の次以降の前記保留記憶手段に保留された前記当たり判定の権利に係る前記所定の図柄の変動が開始されて停止された場合に、前記事前判定の結果に基づいて決定された第２の態様（赤図柄）で前記演出図柄を停止表示させることが可能であり、前記第２の態様は、前記事前判定の対象となった前記当たり判定の権利が消化されて当たりとなる信頼度が前記第１の態様よりも高い。
【０２８３】
上記によれば、事前判定の対象となった保留（例えば、保留４）の２つ以上前の変動（保留２）において、当該事前判定の結果に基づいて決定された第１の態様（青図柄）で演出図柄を停止させ、次以降の変動（保留３）において、当該事前判定の結果に基づいて決定された第２の態様（赤図柄）で演出図柄を停止させることができる。これにより、演出図柄の停止態様によって先読み予告演出を行うことができ、先読み予告演出によって段階的に信頼度を上げることで遊技者の期待感を高めることができる。
【０２８４】
また、他の構成では、前記演出図柄制御手段は、前記所定の図柄が停止された場合、前記事前判定の結果に基づいて、３つの図柄表示領域のうちの少なくとも１つの領域に特定の演出図柄（Ｓ図柄）を停止させることにより、前記演出図柄を停止表示させ、前記特定の演出図柄は、前記事前判定の対象となった前記当たり判定の権利が消化されて当たりとなる信頼度が最も高い。
【０２８５】
上記によれば、特定の演出図柄を停止させることで先読み予告演出を行うことができる。
【符号の説明】
【０２８６】
１    パチンコ遊技機（遊技機の一例）
４    表示器
５    メイン液晶表示装置
６    サブ液晶表示装置
１０    遊技領域
１１    第１始動口
１２    第２始動口
１３    大入賞口
１６    ゲート
１７    電動チューリップ
１９    特定入賞口
２４    スピーカ
４１    第１特別図柄表示器
４２    第２特別図柄表示器
５１    装飾図柄
５２    保留アイコン
９０    羽根部材
９１    案内部材
９２    Ｖ入賞口
９３    ハズレ入賞口
９４    スライド部材
１００    遊技制御基板
１０１    メインＣＰＵ
１０２    メインＲＯＭ
１０３    メインＲＡＭ
１３０    演出制御基板
１３１    サブＣＰＵ
１３２    サブＲＯＭ
１３３    サブＲＡＭ
１３４    ＲＴＣ
１４０    画像音響制御基板
１５０    ランプ制御基板
【図１】
2015077470.tif 000003
【図２】
2015077470.tif 000004
【図３】
2015077470.tif 000005
【図４】
2015077470.tif 000006
【図５】
2015077470.tif 000007
【図６】
2015077470.tif 000008
【図７】
2015077470.tif 000009
【図８】
2015077470.tif 000010
【図９】
2015077470.tif 000011
【図１０】
2015077470.tif 000012
【図１１】
2015077470.tif 000013
【図１２】
2015077470.tif 000014
【図１３】
2015077470.tif 000015
【図１４】
2015077470.tif 000016
【図１５】
2015077470.tif 000017
【図１６】
2015077470.tif 000018
【図１７】
2015077470.tif 000019
【図１８】
2015077470.tif 000020
【図１９】
2015077470.tif 000021
【図２０】
2015077470.tif 000022
【図２１】
2015077470.tif 000023
【図２２】
2015077470.tif 000024
【図２３】
2015077470.tif 000025
【図２４】
2015077470.tif 000026
【図２５】
2015077470.tif 000027
【図２６】
2015077470.tif 000028
【図２７】
2015077470.tif 000029
【図２８】
2015077470.tif 000030
【図２９】
2015077470.tif 000031
【図３０】
2015077470.tif 000032
【図３１】
2015077470.tif 000033
【図３２】
2015077470.tif 000034
【図３３】
2015077470.tif 000035
【図３４】
2015077470.tif 000036
【図３５】
2015077470.tif 000037
【図３６】
2015077470.tif 000038
【図３７】
2015077470.tif 000039
【図３８】
2015077470.tif 000040
【手続補正書】
【提出日】平成27年2月16日(2015.2.16)
【手続補正１】
【補正対象書類名】明細書
【補正対象項目名】０００７
【補正方法】変更
【補正の内容】
【０００７】
本発明に係る遊技機は、始動条件の成立に応じて、特別遊技を行うか否かの特別遊技判定を行う特別遊技判定手段と、前記始動条件の成立に応じて、前記特別遊技判定の権利を所定数を上限として保留する保留記憶手段と、前記保留記憶手段に保留された前記特別遊技判定の権利を消化させるとともに、所定の図柄を図柄表示手段に変動表示させてから停止表示させることにより、当該特別遊技判定の結果を表示する図柄表示制御手段と、前記保留記憶手段に保留された前記特別遊技判定の権利に対して事前判定を行う事前判定手段と、前記特別遊技判定の結果に基づいて、当該特別遊技判定の結果を報知するための複数の演出図柄を、前記所定の図柄の変動表示が開始されると変動開始させ、前記所定の図柄が停止表示されると、当該複数の演出図柄を停止表示させる演出図柄制御手段と、を備え、前記演出図柄制御手段は、前記特別遊技判定によって前記特別遊技を行わないと判定された場合において、前記事前判定の結果に基づいて、前記複数の演出図柄を停止表示させる際に所定の停止パターンで停止表示させることが可能であり、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆しない通常停止パターンで停止表示させることが可能な第１演出図柄制御手段と、前記事前判定の対象となった前記特別遊技判定の権利に係る前記所定の図柄の変動の少なくとも２回前の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記通常停止パターンとは異なる第１の特定停止パターンで、前記複数の演出図柄を停止表示させることが可能な第２演出図柄制御手段と、前記複数の演出図柄が前記第１の特定停止パターンで停止表示された変動の次以降の前記保留記憶手段に保留された前記特別遊技判定の権利に係る前記所定の図柄の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記第１の特定停止パターンとは異なる第２又は第３の特定停止パターンで、前記複数の演出図柄を停止表示させることが可能な第３演出図柄制御手段と、を含み、前記第３演出図柄制御手段によって前記複数の演出図柄が前記第２の特定停止パターンで停止表示されたときは、前記第２演出図柄制御手段によって前記複数の演出図柄が前記第１の特定停止パターンで停止表示されたときよりも、前記事前判定の対象となった前記特別遊技判定の権利が消化された場合に前記特別遊技が行われる信頼度が高く、前記第３演出図柄制御手段によって前記複数の演出図柄が前記第３の特定停止パターンで停止表示されたときは、前記第３演出図柄制御手段によって前記複数の演出図柄が前記第２の特定停止パターンで停止表示されたときよりも、前記信頼度が高い。
【手続補正２】
【補正対象書類名】特許請求の範囲
【補正対象項目名】全文
【補正方法】変更
【補正の内容】
【特許請求の範囲】
【請求項１】
始動条件の成立に応じて、特別遊技を行うか否かの特別遊技判定を行う特別遊技判定手段と、
前記始動条件の成立に応じて、前記特別遊技判定の権利を所定数を上限として保留する保留記憶手段と、
前記保留記憶手段に保留された前記特別遊技判定の権利を消化させるとともに、所定の図柄を図柄表示手段に変動表示させてから停止表示させることにより、当該特別遊技判定の結果を表示する図柄表示制御手段と、
前記保留記憶手段に保留された前記特別遊技判定の権利に対して事前判定を行う事前判定手段と、
前記特別遊技判定の結果に基づいて、当該特別遊技判定の結果を報知するための複数の演出図柄を、前記所定の図柄の変動表示が開始されると変動開始させ、前記所定の図柄が停止表示されると、当該複数の演出図柄を停止表示させる演出図柄制御手段と、を備え、
前記演出図柄制御手段は、
前記特別遊技判定によって前記特別遊技を行わないと判定された場合において、前記事前判定の結果に基づいて、前記複数の演出図柄を停止表示させる際に所定の停止パターンで停止表示させることが可能であり、
前記特別遊技判定によって特別遊技を行わないと判定された場合、前記複数の演出図柄を停止表示させる際に、前記特別遊技が行なわれる信頼度が高い前記特別遊技判定の権利が保留されていることを示唆しない通常停止パターンで停止表示させることが可能な第１演出図柄制御手段と、
前記事前判定の対象となった前記特別遊技判定の権利に係る前記所定の図柄の変動の少なくとも２回前の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記通常停止パターンとは異なる第１の特定停止パターンで、前記複数の演出図柄を停止表示させることが可能な第２演出図柄制御手段と、
前記複数の演出図柄が前記第１の特定停止パターンで停止表示された変動の次以降の前記保留記憶手段に保留された前記特別遊技判定の権利に係る前記所定の図柄の変動において、前記特別遊技判定によって特別遊技を行わないと判定された場合、前記複数の演出図柄を停止表示させる際に、前記特別遊技が行なわれる信頼度が高い前記特別遊技判定の権利が保留されていることを示唆する停止パターンであって前記第１の特定停止パターンとは異なる第２又は第３の特定停止パターンで、前記複数の演出図柄を停止表示させることが可能な第３演出図柄制御手段と、を含み、
前記第３演出図柄制御手段によって前記複数の演出図柄が前記第２の特定停止パターンで停止表示されたときは、前記第２演出図柄制御手段によって前記複数の演出図柄が前記第１の特定停止パターンで停止表示されたときよりも、前記事前判定の対象となった前記特別遊技判定の権利が消化された場合に前記特別遊技が行われる信頼度が高く、
前記第３演出図柄制御手段によって前記複数の演出図柄が前記第３の特定停止パターンで停止表示されたときは、前記第３演出図柄制御手段によって前記複数の演出図柄が前記第２の特定停止パターンで停止表示されたときよりも、前記信頼度が高い、遊技機。